(57)【要約】【課題】複数台の送信装置が格納している画像ファイルなどのファイルのすべてを、一つの表示画面に一覧表示することができるようにする。【解決手段】例えばＨＤＭＩインターフェースなどの接続インターフェースにより送信処理装置と、受信処理装置とが接続される信号送受信システムである。送信処理装置は、画像および／または音声データのファイルの一覧リストのデータを備えると共に、受信処理装置と接続インターフェースにより接続された後、受信処理装置からの接続インターフェースの制御信号の伝送路を通じた画像および／または音声データを要求するコマンドを受信する前に、一覧リストのデータを、受信処理装置に、制御信号の伝送路を通じて送出する手段を備える。【選択図】図１
2008258700.tif 000002
【特許請求の範囲】
【請求項１】
少なくとも画像データおよび／または音声データを伝送するための伝送路と、制御信号の伝送路と、を少なくとも備える接続インターフェースにより接続され、少なくとも前記画像データおよび／または音声データを送出する送信処理装置と、前記画像データおよび／または音声データを受信して表示および／または音響再生する手段を少なくとも備える受信処理装置とからなる信号送受信システムにおいて、
前記送信処理装置は、前記画像データおよび／または音声データのファイルの一覧リストのデータを備えると共に、前記受信処理装置と前記接続インターフェースにより接続された後、前記受信処理装置からの前記接続インターフェースの前記制御信号の伝送路を通じた前記画像データおよび／または音声データを要求するコマンドを受信する前に、前記一覧リストのデータを、前記受信処理装置に、前記制御信号の伝送路を通じて送出する手段を備え、
前記受信処理装置は、前記接続インターフェースを複数個備え、前記複数個の接続インターフェースを通じて、当該接続インターフェースのそれぞれに接続された前記送信処理装置からの前記一覧リストのデータを受信して記憶すると共に、前記複数個の接続インターフェースに接続されている複数個の前記送信処理装置からの一覧リストのデータから、前記複数個の送信処理装置の複数個の一覧リストの内容を１画面に表示するものとして再合成した一括一覧リストを生成して表示する手段を備える
ことを特徴とする信号送受信システム。
【請求項２】
請求項１に記載の信号送受信システムにおいて、
前記送信処理装置は、前記接続インターフェースを通じて前記受信処理装置に接続されたとき、および前記一覧リストの内容が変更されたときに、前記一覧リストのデータを前記受信処理装置に送出する
ことを特徴とする信号送受信システム。
【請求項３】
請求項１に記載の信号送受信システムにおいて、
前記受信処理装置は、前記複数の接続インターフェースを通じて接続されている前記送信処理装置のそれぞれに対して、前記再合成された一括一覧リストに基づいて選定された前記画像データおよび／または音声データのファイルの再生要求のコマンドを、前記制御信号の伝送路を通じて送信する手段を備える
ことを特徴とする信号送受信システム。
【請求項４】
請求項１に記載の信号送受信システムにおいて、
前記受信処理装置は、前記複数の接続インターフェースを通じて接続された複数の前記送信処理装置について前記再合成された前記一括一覧リストに基づいて、前記ファイルの記録時間順に、前記複数個の送信処理装置に対して、前記画像データおよび／または音声データのファイルの再生要求のコマンドを、前記制御信号の伝送路をそれぞれ通じて送信する手段を備える
ことを特徴とする信号送受信システム。
【請求項５】
請求項１に記載の信号送受信システムにおいて、
前記接続インターフェースは、ＨＤＭＩ規格の接続インターフェースである
ことを特徴とする信号送受信システム。
【請求項６】
少なくとも画像データおよび／または音声データを受信して表示および／または音響再生する手段を少なくとも備える受信処理装置に対して、少なくとも画像データおよび／または音声データを伝送するための伝送路と、制御信号の伝送路と、を少なくとも備える接続インターフェースにより、前記画像データおよび／または音声データを送出する送信処理装置であって、
前記画像データおよび／または音声データのファイルの一覧リストのデータを備えると共に、前記受信処理装置と前記接続インターフェースにより接続された後、前記受信処理装置からの前記接続インターフェースの前記制御信号の伝送路を通じた前記画像データおよび／または音声データを要求するコマンドを受信する前に、前記一覧リストのデータを、前記受信処理装置に、前記制御信号の伝送路を通じて送出する手段を備える
ことを特徴とする送信処理装置。
【請求項７】
請求項６に記載の送信処理装置において、
前記接続インターフェースを通じて前記受信処理装置に接続されたとき、および前記一覧リストの内容が変更されたときに、前記一覧リストのデータを前記受信処理装置に送出する
ことを特徴とする送信処理装置。
【請求項８】
請求項６に記載の送信処理装置において、
前記接続インターフェースは、ＨＤＭＩ規格の接続インターフェースである
ことを特徴とする送信処理装置。
【請求項９】
少なくとも画像データおよび／または音声データを伝送するための伝送路と、制御信号の伝送路と、を少なくとも備える接続インターフェースにより、少なくとも前記画像データおよび／または音声データを送出する送信処理装置と接続され、前記画像データおよび／または音声データを受信して表示および／または音響再生する手段を少なくとも備える受信処理装置であって、
前記接続インターフェースを複数個備え、前記複数個の接続インターフェースを通じて、当該接続インターフェースのそれぞれに接続された前記送信処理装置のそれぞれから、前記画像データおよび／または音声データのファイルの一覧リストのデータを、前記制御信号の伝送路を通じて受信して記憶する手段と、
前記複数個の接続インターフェースに接続されている複数個の前記送信処理装置からの一覧リストのデータから、前記複数個の送信処理装置の複数個の一覧リストの内容を１画面に表示するものとして再合成した一括一覧リストを生成して表示する手段と
を備えることを特徴とする受信処理装置。
【請求項１０】
請求項９に記載の受信処理装置において、
前記複数の接続インターフェースを通じて接続されている前記送信処理装置のそれぞれに対して、前記再合成された一括一覧リストに基づいて選定された前記画像データおよび／または音声データのファイルの再生要求のコマンドを、前記制御信号の伝送路を通じて送信する手段を備える
ことを特徴とする受信処理装置。
【請求項１１】
請求項９に記載の受信処理装置において、
前記複数の接続インターフェースを通じて接続された複数の前記送信処理装置について前記再合成された前記一括一覧リストに基づいて、前記ファイルの記録時間順に、前記複数個の送信処理装置に対して、前記画像データおよび／または音声データのファイルの再生要求のコマンドを、前記制御信号の伝送路をそれぞれ通じて送信する手段を備える
ことを特徴とする受信処理装置。
【請求項１２】
請求項９に記載の受信処理装置において、
前記接続インターフェースは、ＨＤＭＩ規格の接続インターフェースである
ことを特徴とする受信処理装置。
【請求項１３】
少なくとも画像データおよび／または音声データを伝送するための伝送路と、制御信号の伝送路と、を少なくとも備える接続インターフェースにより接続され、少なくとも前記画像データおよび／または音声データを送出する送信処理装置と、前記画像データおよび／または音声データを受信して表示および／または音響再生する手段を少なくとも備える受信処理装置とからなる信号送受信システムにおける信号送受信方法であって、
前記送信処理装置は、
前記画像データおよび／または音声データのファイルの一覧リストのデータを備え、前記受信処理装置と前記接続インターフェースにより接続された後、前記受信処理装置からの前記接続インターフェースの前記制御信号の伝送路を通じた前記画像データおよび／または音声データを要求するコマンドを受信する前に、前記一覧リストのデータを、前記受信処理装置に、前記制御信号の伝送路を通じて送出する工程を備え、
前記受信処理装置は、
前記接続インターフェースを複数個備え、前記複数個の接続インターフェースを通じて、当該接続インターフェースのそれぞれに接続された前記送信処理装置からの前記一覧リストのデータを受信して記憶する工程と、
前記複数個の接続インターフェースに接続されている複数個の前記送信処理装置からの一覧リストのデータから、前記複数個の送信処理装置の複数個の一覧リストの内容を１画面に表示するものとして再合成した一括一覧リストを生成して表示する工程を備える
ことを特徴とする信号送受信方法。
【発明の詳細な説明】
【技術分野】
【０００１】
この発明は、例えばＨＤＭＩ（Ｈｉｇｈ  Ｄｅｆｉｎｉｔｉｏｎ  ＭＵＬＴＩＭＥＤＩＡ  Ｉｎｔｅｒｆａｃｅ）規格の接続インターフェースにより接続される送信処理装置と受信処理装置とからなる信号送受信システムに関する。
【背景技術】
【０００２】
近年、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格、ＤＶＩ（Ｄｉｇｉｔａｌ  Ｖｉｓｕａｌ  Ｉｎｔｅｒｆａｃｅ）規格などの高速デジタルインターフェイス規格に準拠した種々の電子機器の開発が進められている。
【０００３】
ＨＤＭＩ規格の仕様は、Ｈｉｇｈ  Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒ１．３に記載されているが、ＨＤＭＩ規格の接続インターフェースは、画像データおよびオーディオデータなどを伝送するための高速バスと、受信側装置の表示手段に関する情報としてのＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報などを伝送するための低速バスと、制御信号の伝送用のＣＥＣ（Ｃｏｍｓｕｍｅｒ  Ｅｌｅｃｔｒｏｎｉｃ  Ｃｏｎｔｒｏｌ）ラインとを備える。
【０００４】
ＨＤＭＩ規格では、送信装置と受信装置との間は、前記高速バス、低速バスおよびＣＥＣラインを含むＨＤＭＩケーブルで接続される。送信装置および受信装置という名称は、画像データおよびオーディオデータの送信および受信の向きを示しているが、送信装置と受信装置との間の制御信号などの通信は、ＣＥＣラインを通じて双方向で行えるようになっている。
【０００５】
例えば、送信装置がＤＶＤ（Ｄｉｇｉｔａｌ  Ｖｅｒｓａｔｉｌｅ  Ｄｉｓｃ）プレーヤで、受信装置がテレビ受信機であるとき、テレビ受信機から、再生コマンドをＣＥＣラインを通じてＤＶＤプレーヤに送ると、ＤＶＤプレーヤは再生を開始し、高速バスを通じて再生画像データおよび再生オーディオデータを、テレビ受信機に伝送するようにする。
【０００６】
また、例えばＨＤＭＩ規格の接続インターフェースを通じてテレビ受信機にデジタルビデオカメラやデジタルスチルカメラなどの画像撮影記録機器が接続されたとき、ＣＥＣラインを通じてメニュー一覧要求のコマンドなどを、テレビ受信機からそれらの画像撮影記録機器に送り、そのコマンドに対する応答として、画像撮影記録機器からサムネイルを含む一覧リストの画面データが、高速バスを通じて送られてくるようにして、テレビ受信機の表示画面にその一覧リストを表示することができる。
【０００７】
そして、使用者は、テレビ受信機の表示画面に表示されている一覧リストを通じて、特定の撮影画像を選択してその再生要求をすると、当該撮影画像の再生要求のコマンドがＣＥＣラインを通じて画像撮影記録機器に送られる。画像撮影記録機器は、再生要求された撮影画像の画像データを高速バスを通じてテレビ受信機に送る。テレビ受信機は、受信した撮影画像の再生画像を表示する。
【０００８】
上述したＨＤＭＩ規格のＣＥＣラインに限らず、家電制御規格などを用い、使用者はテレビ受信機に向かってリモコン操作するだけで、テレビ受信機と接続された一つ以上の機器をコントロールすることができるようにすることは、特許文献１（特開２００４−２０８２９０号公報）、特許文献２（特開２００４−３０４２２０号公報）、特許文献３（特開２００６−４１５８４号公報）により開示されている。
【０００９】
上記の特許文献は、次の通りである。
【特許文献１】特開２００４−２０８２９０号公報
【特許文献２】特開２００４−３０４２２０号公報
【特許文献３】特開２００６−４１５８４号公報
【発明の開示】
【発明が解決しようとする課題】
【００１０】
ところで、受信装置としてのテレビ受信機にＨＤＭＩ規格の接続インターフェースは、一つではなく、複数個設けられる場合もある。その複数個の接続インターフェースに、デジタルビデオカメラやデジタルスチルカメラなどの画像撮影記録機器の複数個が同時に接続された場合に、テレビ受信機において、接続されたすべての画像撮影記録機器の撮影画像の一覧リストを、一つの画面に表示することができれば便利である。例えばテレビ受信機に接続されたすべての画像撮影記録機器での撮影画像の一覧リストが、一つの画面に表示されていれば、再生しようとする撮影画像を、使用者は、どの画像撮影記録機器かを気にすることなく、任意に選択して、再生することができるようになる。
【００１１】
しかしながら、ＨＤＭＩ規格においては、上述したように、ＣＥＣラインを通じて送信装置である画像撮影記録機器にメニュー要求コマンドを送ると、画像撮影記録機器は自装置が格納している撮影画像の一覧リストの表示画面の画像データを生成して、その一覧リストの表示画面の画像データを、高速バスを通じて受信装置であるテレビ受信機に送るようにする。
【００１２】
したがって、従来は、複数台の画像撮影記録機器からの一覧リストを同時に一つの画面に表示することはできないという問題がある。
【００１３】
この発明は、以上の点にかんがみ、複数台の送信装置が格納している画像ファイルなどのファイルのすべてを、一つの表示画面に一覧表示することができるようにすることを目的とする。
【課題を解決するための手段】
【００１４】
上記の課題を解決するために、請求項１の発明は、
少なくとも画像データおよび／または音声データを伝送するための伝送路と、制御信号の伝送路と、を少なくとも備える接続インターフェースにより接続され、少なくとも前記画像データおよび／または音声データを送出する送信処理装置と、前記画像データおよび／または音声データを受信して表示および／または音響再生する手段を少なくとも備える受信処理装置とからなる信号送受信システムにおいて、
前記送信処理装置は、前記画像データおよび／または音声データのファイルの一覧リストのデータを備えると共に、前記受信処理装置と前記接続インターフェースにより接続された後、前記受信処理装置からの前記接続インターフェースの前記制御信号の伝送路を通じた前記画像データおよび／または音声データを要求するコマンドを受信する前に、前記一覧リストのデータを、前記受信処理装置に、前記制御信号の伝送路を通じて送出する手段を備え、
前記受信処理装置は、前記接続インターフェースを複数個備え、前記複数個の接続インターフェースを通じて、当該接続インターフェースのそれぞれに接続された前記送信処理装置からの前記一覧リストのデータを受信して記憶すると共に、前記複数個の接続インターフェースに接続されている複数個の前記送信処理装置からの一覧リストのデータから、前記複数個の送信処理装置の複数個の一覧リストの内容を１画面に表示するものとして再合成した一括一覧リストを生成して表示する手段を備える
ことを特徴とする信号送受信システムを提供する。
【００１５】
請求項１の発明においては、送信処理装置は、予めファイルの一覧リストのデータを用意して保持している。そして、送信処理装置は、受信処理装置に、例えばＨＤＭＩ規格の接続インターフェースのような接続インターフェースを通じて接続されると、その接続状態において、ファイルの画像データや音声データの要求コマンドが送られてくる前の適宜のタイミングで、保持している一覧リストのデータを、ＣＥＣラインなどの制御信号の伝送路を通じて送る。
【００１６】
受信処理装置は、ＣＥＣラインなどの制御信号の伝送路を通じて複数個の送信処理装置から受け取った一覧リストのデータから、すべての送信処理装置が保持しているすべてのファイルの一覧リストを再合成して一括一覧リストを生成する。そして、受信処理装置は、生成した一括一覧リストを表示画面に表示する。
【００１７】
これにより、受信処理装置では、これに接続された複数個の送信処理装置が備えるファイルのすべてを、一つの画面で一括して一覧表示することができる。したがって、使用者は、この一括一覧表示を見ることで、受信処理装置で、その時点で再生して楽しむことができるファイルのすべてを認識することが可能となる。
【発明の効果】
【００１８】
この発明によれば、少なくとも画像データおよび／または音声データを伝送するための伝送路と、制御信号の伝送路と、を少なくとも備える接続インターフェースにより接続された複数台の送信処理装置と、受信処理装置とからなるシステムにおいて、前記複数台の送信処理装置が格納している画像ファイルなどのファイルのすべてを、前記受信処理装置の一つの表示画面に一括して一覧表示することができる。そして、受信処理装置では、この一括して一覧表示することに基づいて、複数台の送信処理装置を同時処理対象とした種々の処理機能を実行することが可能になる。
【発明を実施するための最良の形態】
【００１９】
以下、この発明による信号送受信システムの実施形態を、接続インターフェースとして、ＨＤＭＩ規格の接続インターフェースを用いた場合を例にとって、図を参照しながら説明する。
【００２０】
図１は、送信処理装置と受信処理装置とがＨＤＭＩインターフェースにより接続された信号送受信システムの実施形態を示す図である。この例では、１台の受信処理装置１０が複数個のＨＤＭＩインターフェースの端子（コネクタ；図示は省略）を備えていて、図１の例では、２台の送信処理装置２１，２２が、受信処理装置１０に対して、ＨＤＭＩ規格の１本のケーブル（以下、ＨＤＭＩケーブルという）３１，３２により接続されている場合を示している。
【００２１】
ＨＤＭＩケーブル３１および３２は、それぞれ画像データや音声データなど用の高速バス（高速データ伝送路）３１Ｈおよび３２Ｈと、デバイス情報や認証用情報などを双方向に伝送するための低速バス３１Ｌおよび３２Ｌと、コマンドなどの制御データおよびその応答などを双方向に通信するためのＣＥＣライン３１Ｃおよび３２Ｃとを、それぞれ有している。
【００２２】
そして、この実施形態においては、受信処理装置１０は、この例では、ＡＶ（Ａｕｄｉｏ−Ｖｉｓｕａｌ）モニター装置の構成とされており、例えばＬＣＤ（Ｌｉｑｕｉｄ  Ｃｒｙｓｔａｌ  Ｄｉｓｐｌａｙ）からなる画像表示用のディスプレイ１０１と、音声信号を再生するためのスピーカ１０２とを備えている。
【００２３】
この例においては、受信処理装置１０は、ＨＤＭＩケーブル３１，３２のそれぞれの高速バス３１Ｈ，３２Ｈを通じて送信処理装置２１，２２から伝送されてくる画像データや音声データを受信するためのＨＤＭＩ受信部１０３，１０４と、ＨＤＭＩ受信部１０３からの受信データとＨＤＭＩ受信部１０４からの受信データのいずれか一方を選択する切替部１０５と、切替部１０５からの受信データから画像データを抽出して、ディスプレイ１０１に表示する画像信号を生成する表示信号生成部１０６と、表示信号生成部１０６で生成された表示信号を用いて、ディスプレイ１０１に画像を表示するための表示制御部１０７と、切替部１０５からの受信データから音声データを抽出して、スピーカ１０２で再生する音声信号を生成する音声信号生成部１０８と、音声信号生成部１０８で生成された音声信号を増幅してスピーカ１０２に供給するようにする音声出力アンプ１０９とを備えている。
【００２４】
さらに、受信処理装置１０は、上述した各部を制御するためのシステム制御部１１０を備える。このシステム制御部１１０は、例えばマイクロコンピュータが用いられて構成される。そして、このシステム制御部１１０には、リモコン受信部１１１が接続されており、使用者が操作するリモコン送信機１１２からのリモコン信号を、赤外線などにより無線で受信する。システム制御部１１０は、リモコン受信部１１１を介してリモコン送信機１１２から受信したリモコン信号を解析して、使用者によるリモコン送信機１１２での操作入力が何であるかを認識し、その認識結果に応じた制御処理を実行するようにする。
【００２５】
この実施形態では、システム制御部１１０には、さらに受信側情報メモリ１１３が接続されている。この受信側情報メモリ１１３は、受信側装置の表示手段に関する情報、すなわち、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を含む。特に、現在のＤＶＩ規格、またはＨＤＭＩ規格を用いる場合、受信側情報メモリ１１３の格納情報はＥＤＩＤと同じものを指すことになる。このＥＤＩＤ情報は、受信処理装置２０としてのＡＶモニター装置のディスプレイ２３Ｄの解像度の情報や同期周波数の情報、表示できる信号の種類、ピクセルクロック（画素クロック）、水平有効期間、垂直有効期間などの情報を含む。
【００２６】
さらに、この実施形態では、システム制御部１１０には、一覧リストメモリ１１４が接続されており、後述するように、ＨＤＭＩケーブルのＣＥＣラインを通じて送られてくる撮影画像ファイルの一覧リストおよび生成した一括一覧リストの情報が、この一覧リストメモリ１１４に記憶される。
【００２７】
次に、この実施形態における送信処理装置２１，２２について説明する。この実施形態の送信処理装置２１，２２は、デジタルビデオカメラやデジタルスチルカメラなどの画像撮影記録機器とされている。図２に、送信処理装置２１の場合として、その構成ブロック図の例を示す。この図２の例は、デジタルビデオカメラの場合の構成例であって、音声信号の記録系を備えていない場合である。
【００２８】
この例の送信処理装置２１は、基本構成としては、撮影画像記録系２０１と、撮影画像再生系２０２と、記録メディア２０３と、システム制御部２１０と、受信処理装置１０への伝送系とからなる。記録メディア２０３は、例えばハードディスク装置、半導体メモリなどのように装置に内蔵されるものの他、ＤＶＤ（Ｄｉｇｉｔａｌ  Ｖｅｒｓａｔｉｌｅ  Ｄｉｓｃ）や、メモリカードなどのリムーバルなものであってもよい。
【００２９】
また、この実施形態の送信処理装置２１における受信処理装置１０への伝送系は、ＨＤＭＩ送信部２０４と、システム制御部２１０のソフトウエアにより構成される送信制御部（図示せず）と、前述したＨＤＭＩケーブル３１とにより構成される。
【００３０】
そして、この実施形態では、システム制御部２１０には、操作部２０５が操作入力インターフェース部２０６を通じて接続されており、使用者が操作部２０５のシャッターボタンや、記録スタートボタンを操作したり、再生ボタン操作（撮影画像読み出し操作）をしたりすると、その操作信号が操作入力インターフェース２０６を通じてシステム制御部２１０に供給される。システム制御部２１０は、操作入力インターフェース２０６を通じて入力された操作信号を解析して、使用者による操作部での操作入力が何であるかを認識し、その認識結果に応じた制御処理を実行するようにする。
【００３１】
また、システム制御部２１０に対しては、撮影画像ファイルリスト生成部２０７が接続されて設けられていると共に、メモリ２０８と時計部２０９とが接続されて設けられている。
【００３２】
撮影画像ファイルリスト生成部２０７は、この実施形態では、撮影画像記録系２０１により、記録メディア２０３に撮影画像が記録される毎に、撮影画像ファイルの一覧リストに追加する、新たに撮影記録された画像のファイルのデータを生成すると共に、当該生成したファイルのデータを、メモリ２０８に格納されている一覧リストに追加したデータを生成し、当該生成した一覧リストのデータを、メモリ２０８に書き戻すようにする。
【００３３】
時計部２０９は、カレンダー機能付きであり、撮影記録時の年月日および時刻の情報をシステム制御部２１０に与えるためのものである。この時計部２０９は、システム制御部２０９のマイクロコンピュータにおいて、その内部クロックを計数することにより、ソフトウエア処理として実現するようにすることもできる。
【００３４】
なお、この撮影画像ファイルリスト生成部２０７は、システム制御部２１０を構成するマイクロコンピュータによるソフトウエア処理の構成とすることもできる。
【００３５】
撮影画像記録系２０１は、光学レンズ系および撮像素子を備えるカメラ部２１１と、撮像信号処理部２１２と、記録エンコーダ２１３と、書き込み部２１４とからなる。また、撮影画像再生系２０２は、読み出し部２２１と、再生デコーダ２２２と、解像度判定部２２３と、解像度変換部２２４と、表示系インターフェース２２５と、ディスプレイ２２６とからなる。
【００３６】
使用者の操作部２０５を通じた操作に基づいて、撮影記録モードが指定されたときには、システム制御部２１０からの制御により、撮影画像記録系２１０の各部がアクティブとされる。そして、カメラ部２１１で撮影された画像のデータが撮像信号処理部２１２を通じて記録エンコーダ２１３に供給される。この記録エンコーダ２１３では、画像データの圧縮処理や記録変調などの処理がなされた後、書き込み部２１４により、記録メディア２０３に書き込まれる。
【００３７】
また、使用者の操作部２０５を通じた操作に基づいて、あるいは、受信処理装置１０からの再生コマンドにより、再生モード（画像読み出しモード）が指定されたときには、システム制御部２１０からの制御により、撮影画像再生系２０２の各部がアクティブとされる。
【００３８】
そして、記録メディア２０３から記録されている撮像画像のうち、指定されたものが読み出し部２２１により読み出されて、再生デコーダ２２２に供給され、圧縮されているデータが伸長される。伸長された画像データは、解像度判別部２２３に供給されて、撮影時に選択された解像度が判別され、その判別結果は、伸長された画像データと共に、解像度変換部２２４に供給される。
【００３９】
解像度変換部２２４では、送信処理装置２１のディスプレイ２２６に再生画像を表示する再生モードのときには、当該ディスプレイ２２６に表示可能な解像度に変換して、当該解像度変換した画像データを表示系インターフェース２２５を通じてディスプレイ２２６に供給して、再生画像を表示するようにする。
【００４０】
また、送信処理装置２１から再生画像データを受信処理装置１０にＨＤＭＩインターフェースを通じて伝送するモードのときには、解像度変換部２２３は、システム制御部２１０からの制御指示により、受信処理装置１０のディスプレイの表示能力に応じた解像度に変換し、当該解像度変換した画像データを、ＨＤＭＩ送信部２０４から高速バス３１Ｈを通じて、受信処理装置１０に伝送するようにする。
【００４１】
なお、システム制御部２１０は、送信処理装置２１が受信処理装置１０に接続されたときに、受信処理装置１０の受信側情報メモリ１１３に記憶されているＥＤＩＤを、低速バス３１Ｌを通じて取得して、受信処理装置１０が備えるディスプレイ１０１で表示可能な解像度を予め認識しており、この認識に基づいて、解像度変換部２２４を制御し、受信処理装置１０のディスプレイ１０１の表示能力に応じた解像度として画像データを受信処理装置１０に送るものである。
【００４２】
なお、この例の送信処理装置２１は、受信処理装置１０からの再生コマンドにより、再生モード（画像読み出しモード）が指定されたときに、システム制御部２１０により再生モードが実行されると説明したが、前記再生コマンドは、ＨＤＭＩケーブル３１のＣＥＣライン３１Ｃを通じてシステム制御部２１０に伝送される。
【００４３】
システム制御部２１０は、このＣＥＣライン３１Ｃを通じて送られてくるコマンドを解析して、そのコマンドに応じた処理を実行するようにする。なお、ＣＥＣライン３１Ｃを通じて通信されるコマンドは、ＨＤＭＩ規格で予め定められている。
【００４４】
しかし、コマンドではなく、前述したように送信処理装置２１が予め用意している撮像画像ファイルの一覧リストのデータなどをこのＣＥＣライン３１Ｃを通じて、受信処理装置１０に送信することはできる。ただし、その場合に、受信処理装置１０で、当該伝送されてくる一覧リストのデータを、一覧リストとして認識して取り込み、後述するような処理をすることができるようにする仕組みが必要になる。
【００４５】
例えば、受信処理装置１０のシステム制御部１１０が、装置メーカ用として開放されているＣＥＣライン用のコマンドを、前記撮影画像ファイルの一覧リストの要求コマンドとして、送信処理装置２１に送り、その応答として、送信処理装置２１からＣＥＣライン３１Ｃを通じて撮影画像ファイルの一覧リストのデータを受信処理装置１０に送るようにすればよい。その場合には、受信処理装置１０のシステム制御部１１０は、一覧リストの要求コマンドを送った後に、送信処理装置２１から送られてくるデータを、前記一覧リストのデータとして認識して取り込めばよいからである。
【００４６】
もう一つの方法として、送信処理装置２１が、受信処理装置１０に対してＨＤＭＩインターフェースを通じて接続されたときに、送信処理装置２１から前記一覧リストのデータをＣＥＣライン３１Ｃを通じて受信処理装置１０に送信する方法がある。この方法は、受信処理装置１０からは、何等のコマンドも送ることなく、ＨＤＭＩインターフェースにより送信処理装置が接続されたときに、最初にＣＥＣラインを通じて送られてくるデータを前記一覧リストのデータとするものである。
【００４７】
また、この実施形態では、ＨＤＭＩインターフェースにより接続中であるときに、送信処理装置２１の撮影画像ファイルの一覧リストが更新されたときにも、当該一覧リストのデータをＣＥＣラインを通じて送るようにする。この場合には、受信処理装置１０は、何もコマンドを送らない状態で送られてくるデータを一覧リストのデータとして認識して受信するようにすることができる。
【００４８】
この実施形態では、前者の方法および後者の方法のいずれも採用可能であるが、特に、後者の方法を採用することとする。
【００４９】
そして、この実施形態では、送信処理装置２１から撮影画像ファイルの一覧リストのデータを送るときには、送信データが一覧リストのデータであることを示す識別情報を、併せて送るようにして、より確実に一覧リストのデータであることを受信処理装置１０に報知するようにする。この識別情報は、送信処理装置と、受信処理装置との間で予め定めておくものである。なお、この識別情報がなくても、一覧リストのデータの送受信が可能であることは前述の通りである。
【００５０】
上述したように、図２は、デジタルビデオカメラの場合の構成としたが、デジタルスチルカメラも、ほぼ同様の構成とすることができる。ただし、デジタルビデオカメラの場合には、撮影記録画像データは、撮影記録スタート時点から撮影記録ストップ時点までの動画データであって、撮影画像記録系２０１と、撮影画像再生系２０２とは、当該動画データを記録メディア２０３に記録し、また、再生することができる構成である。これに対して、デジタルスチルカメラの場合には、撮影記録画像データは、静止画データであって、撮影画像記録系２０１と、撮影画像再生系２０２とは、当該静止画データを記録メディア２０３に記録し、また、再生することができる構成である。この点を除けば、デジタルビデオカメラとデジタルスチルカメラとは、図２の構成を備えるものとすることができる。
【００５１】
次に、この実施形態では、受信処理装置１０は、複数個の送信処理装置から受け取った一覧リストのデータを再合成して、当該時点で複数個のＨＤＭＩインターフェースに接続されている画像撮影機器についてのすべての撮影画像ファイルの一覧リストを、一画面に同時に表示することができるようにするための一括一覧リストを生成し、この一括一覧リストを画面に表示するようにする。
【００５２】
この一括一覧リストの生成手段は、この実施形態では、システム制御部１１０を構成するマイクロコンピュータにより実行されるソフトウエア処理機能として構成される。この場合に、この実施形態では、一括一覧リストは、複数個のＨＤＭＩインターフェースに接続されている送信処理装置（画像撮影機器）からの一覧リストのそれぞれを、一つの画面に一括して表示することができるようにしたものとされる。
【００５３】
この場合において、複数個のＨＤＭＩインターフェースに接続されている送信処理装置（画像撮影機器）からの一覧リストのそれぞれには、互いに識別可能となるようにするための識別情報として、例えばリスト番号などからなる一覧リストＩＤ（あるいは送信処理装置の装置ＩＤでもよい）が割り当てられる。
【００５４】
また、各画像撮影機器からの一覧リストに含まれる撮影画像ファイルのそれぞれには、当該一覧リスト内において他のファイルと識別するための識別情報として、例えばファイル番号などのファイルＩＤが、送信処理装置において、一覧リストの生成時に付与されている。
【００５５】
そして、一括一覧リストに含まれるそれぞれの画像撮影機器の一覧リストに含まれる撮影画像ファイルのそれぞれには、前記一覧リストＩＤと前記ファイルＩＤとが、識別情報として付与される。この各撮影画像ファイルに付与される識別情報により、一括一覧リスト上において、特定の撮影画像ファイルが選択されたときに、当該選択された撮影画像ファイルは、どのＨＤＭＩインターフェースに接続されている画像撮影機器の一覧リストに含まれていた撮影画像ファイルであったかが認識され、かつ、その一覧リストのどの撮影画像ファイルであるかが認識されるように構成されている。
【００５６】
後述するように、この実施形態では、受信処理装置１０では、この一括一覧リストの画面において、使用者からの再生すべき特定の撮像画像ファイルの指定を受け付けることができるようにされている。
【００５７】
システム制御部１１０は、後述するように、例えば、使用者のリモコン送信機１１２を通じた特定の撮像画像ファイルの再生指定を受け付けると、そのファイルの一覧リストＩＤにより、いずれのＨＤＭＩインターフェースに接続された送信処理装置（画像撮影機器）に格納されているファイルであるかを認識する。そして、システム制御部１１０は、当該認識した送信処理装置に対して、ＨＤＭＩインターフェースのＣＥＣラインを通じて、前記再生指定されたファイルのファイルＩＤと、再生コマンドを送る。
【００５８】
これを受けた送信処理装置は、ファイルＩＤにより指定された撮影画像ファイルの画像データを読み出して、再生デコードし、受信処理装置１０に、ＨＤＭＩインターフェースの高速バスを通じて送るようにする。受信処理装置１０は、高速バスを通じて受け取った画像データに基づいて、ディスプレイ１０１にその再生画像を表示するようにする。
【００５９】
また、受信処理装置１０は、後述するように、この一括一覧リストに基づいて、ＨＤＭＩインターフェースを通じて接続されている複数個の画像撮影機器に格納されている撮影画像ファイルについて、例えば撮影時間順に、順次に、画像を順次に再生するようにする、いわゆるスライドショーの機能を実現する機能も備えている。このスライドショーの機能は、この実施形態では、システム制御部１１０を構成するマイクロコンピュータのソフトウエア処理により実現されるようにされている。
【００６０】
以上のような機能を実現するために、この実施形態では、撮影画像機器である場合には、送信処理装置２１は、撮影画像機器である場合には、撮像画像ファイルの一覧リストを、画像を撮影する毎に更新し、また、撮像画像を削除した場合も同様に更新しておく。そして、送信処理装置２１は、受信処理装置１０にＨＤＭＩインターフェースにより接続されたときに、また、撮影画像ファイルの一覧リストを更新したときに、その撮像画像ファイルの一覧リストのデータを、ＣＥＣライン３１Ｃを通じて送信するようにする。
【００６１】
送信処理装置２１，２２と受信処理装置１０とを接続するＨＤＭＩ伝送路は、前述したように、映像データやオーディオデータを伝送するための高速バスと、ＥＤＩＤや後述する認証のためのデータを伝送するための低速バスと、ＣＥＣラインとを有している。
【００６２】
図３に、ＨＤＭＩ伝送路の詳細例を示す。図３は、一例として、送信処理装置２１と、受信処理装置１０とがＨＤＭＩケーブル３１により接続された場合の例として示している。
【００６３】
図３に示すように、また、図１に示したように、送信処理装置２１のＨＤＭＩ送信部と、受信処理装置１０のＨＤＭＩ受信部１０３との間は、ＨＤＭＩケーブル３１に含まれる高速バス３１Ｈにより接続される。
【００６４】
高速バス３１Ｈは、ＴＭＤＳ（Ｔｒａｎｓｍｉｓｓｉｏｎ  Ｍｉｎｉｍｉｚｅｄ  Ｄｉｆｆｅｒｅｎｔｉａｌ  Ｓｉｇｎａｌｉｎｇ）方式のシリアル伝送路であり、３本のデータ伝送ラインと、クロック伝送ラインとからなる。
【００６５】
赤、緑、青の映像データのそれぞれは、３本のデータ伝送ラインにより別々のチャンネル（ＴＭＤＳチャンネル０、ＴＭＤＳチャンネル１、ＴＭＤＳチャンネル２の３チャンネル）として伝送される。そして、クロック伝送ライン（ＴＤＭＳクロックチャンネル）を通じて送信データに同期するクロックが伝送される。したがって、高速バス３１Ｈは、図３に示すように４チャンネル分のシリアル伝送路を備える。
【００６６】
また、オーディオデータや、水平および垂直同期信号、コントロールデータ、ステータスデータ、属性データなども、画像データと共に、３本の伝送ラインを通じて伝送される。この場合において、オーディオデータや、水平および垂直同期信号、コントロールデータ、ステータスデータ、属性データは、赤、緑、青の画像データのそれぞれの垂直ブランキング期間や水平ブランキング期間に挿入されて伝送される。ＨＤＭＩ送信部２０４は、これら映像データ、オーディオデータ、同期信号、コントロールデータおよびステータスデータを、それぞれのチャンネルにおいて時分割多重して、送出する処理を行うと共に、送信データに同期するクロックを送出する。
【００６７】
図４は、１本（一つのＴＤＭＳチャンネル）のデータ伝送ラインを通じて伝送されるデータを、１画面に対応させて示したものである。この図４に示すように、このＨＤＭＩ規格におけるデータ伝送は、「Ｖｉｄｅｏ  Ｄａｔａ  Ｐｅｒｉｏｄ」、「Ｄａｔａ  Ｉｓｌａｎｄ  Ｐｅｒｉｏｄ」、「Ｃｏｎｔｒｏｌ  Ｐｅｒｉｏｄ」と呼ばれる３つの期間に分けて行われる。図４は、各期間の伝送イメージを示したものである。ただし、図４の例は、１画面が７２０×４８０（ピクセル）からなる場合の例である。
【００６８】
画像データは、「Ｖｉｄｅｏ  Ｄａｔａ  Ｐｅｒｉｏｄ」の期間に配置され、ＥＩＡ／ＣＥＡ−８６１Ｂ規格でフォーマットされた画像データのピクセルデータ（画素データ）が伝送される。
【００６９】
音声信号は、「Ｖｉｄｅｏ  Ｄａｔａ  Ｐｅｒｉｏｄ」の期間を避けたブランキング区間に配置される「Ｄａｔａ  Ｉｓｌａｎｄ  Ｐｅｒｉｏｄ」の期間に配置され、ＩＥＣ０６９５８規格でフォーマットされたオーディオストリーム信号のパケットデータが伝送される。
【００７０】
また、同期信号は、「Ｄａｔａ  Ｉｓｌａｎｄ  Ｐｅｒｉｏｄ」と同様、ブランキング区間に配置された「Ｃｏｎｔｒｏｌ Ｐｅｒｉｏｄ」の期間に配置され、エンコードされた水平同期信号（ＨＳＹＮＣ）、エンコードされた垂直同期信号（ＶＳＹＮＣ）の形で伝送される。
【００７１】
このほかにも、画像データの属性データである「ＡＶＩ  Ｉｎｆｏｆｒａｍｅ」などが、「Ｄａｔａ  Ｉｓｌａｎｄ  Ｐｅｒｉｏｄ」の期間に配置され、パケットデータとして伝送されている。この「ＡＶＩ  Ｉｎｆｏｆｒａｍｅ」が持つデータ内容としては、例えば、伝送される画像データの解像度情報、周波数情報、カラースペース情報（Ｙ、Ｃｒ、ＣｂかＲ、Ｇ、Ｂか）、画像データの有効エリア（画の上下左右に黒帯などがついた画像の場合、黒帯の開始位置）、画像のアスペクト比などが挙げられる。
【００７２】
次に、ＨＤＭＩケーブル３１に含まれる低速バス３１Ｌについて説明する。
【００７３】
ＨＤＭＩ規格では、プラグアンドプレイ（ｐｌｕｇ  ａｎｄ  ｐｌａｙ）が実現されており、送信処理装置２１は、受信処理装置１０が備える表示用ディスプレイの解像度に合わせて映像信号の伝送を行う。低速バス３１Ｌは、このプラグアンドプレイを実現するために用いられる。
【００７４】
この低速バス３１Ｌは、ＤＤＣ（Ｄｉｓｐｌａｙ  Ｄａｔａ  Ｃｈａｎｎｅｌ）と呼ばれ、双方向バスであるＩ２Ｃバスが採用されている。Ｉ２Ｃバスは最大転送クロック周波数が４００ｋＨｚの低速なシリアルバスである。この低速バス３１Ｌを介して、受信側情報であるＥＤＩＤデータを、システム制御部２１０が、受信処理装置２０から入手することで、プラグアンドプレイを実現する。
【００７５】
すなわち、送信処理装置２１と受信処理装置１０とがＨＤＭＩケーブル３１で接続されると、送信処理装置２１のシステム制御部２１は、ＤＤＣ制御信号を用い、低速バス３１Ｌを介して受信処理装置１０の受信側情報メモリ１１３から受信側情報であるＥＤＩＤ情報を取得する。そして、システム制御部２Ｈ葉、前述したように、送信データの送信処理に際し、解像度変換部２２４を制御して、受信処理装置１０のディスプレイ１０１にとって最適な水平走査周波数、垂直走査周波数の映像信号を出力させる。これによって、常に最適な状態で、ディスプレイ１０１に、記録メディア２０３に記録された撮影画像を表示させることが可能になる。
【００７６】
低速バス３２は、上述のようなプラグアンドプレイのためにのみ用いられるのではない。すなわち、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）技術における暗号化手続き処理の用途でもＤＤＣライン３１Ｌが使用される。
【００７７】
ＨＤＣＰでは、受信機器が不正な機器ではないことを送信処理装置２１が認証し、認証できた（認証成功）後、初めて、送信処理装置２１からの送信データの受信処理装置１０への暗号化伝送が可能となる。この認証に必要な情報は、低速バス３１Ｌを介して伝送される。なお、この発明は、ＨＤＣＰ技術による認証動作とは直接的には関係がないので、その詳細な説明は省略する。
【００７８】
次に、ＣＥＣライン３１Ｃは、民生機器である信号出力装置（送信処理装置）と表示機器（受信処理装置）間で制御信号を伝送するためのものである。送信処理装置に対して、受信処理装置は、このＣＥＣライン３１Ｃを通じて、「再生」コマンドや「メニューオン」コマンドなどを送信したり、送信処理装置の方から受信処理装置に対して、所定のコマンドや応答データを送信したりすることが可能である。
【００７９】
次に、以上のように構成された送信処理装置２１，２２と受信処理装置１０とからなる信号送受信システムにおける処理動作について説明する。なお、以下に説明する処理動作は、図３に示すように、受信処理装置１０がテレビモニター装置、送信処理装置２１がデジタルビデオカメラ、送信処理装置２２がデジタルスチルカメラ、である場合として説明する。そして、デジタルビデオカメラはＣＡＭと略記し、デジタルスチルカメラはＤＳＣ２２と略記し、テレビモニター装置はＴＶと略記する。
【００８０】
［ＣＡＭ２１およびＤＳＣ２２における撮影画像ファイルの一覧リスト生成］
前述もしたように、この実施形態のＣＡＭ２１およびＤＳＣ２２は、記録メディア２０２に、撮影画像データと、その撮影記録開始時間、撮影記録終了時間、撮影条件情報などの付随情報とを、ファイル番号などのファイル識別情報によって対応付けて、撮影画像を記録するようにすると共に、記録メディア２０３に記録されている撮影画像ファイルについての一覧リストを生成する。
【００８１】
図６に、ＣＡＭ２１の場合の撮影画像ファイルの一覧リストの一例を示す。すなわち、このＣＡＭ２１の撮影画像ファイルの一覧リストは、ファイル番号などのファイル識別情報に対応して、記録日時として、動画像の撮影記録開始日時および撮影記録終了日時が記録されているものである。
【００８２】
この例の場合、図５に示すように、ＣＡＭ２１の記録メディア２０３には、３個の動画ファイル「Ｍｏｖｉｅ  １」、「Ｍｏｖｉｅ  ２」、「Ｍｏｖｉｅ  ３」が記録されている場合で、一覧リストとしては、図６に示すように、「Ｍｏｖｉｅ  １」については、ファイル識別情報「ファイル１」に対応して、その動画像の撮影記録開始日時および撮影記録終了日時が記録され、「Ｍｏｖｉｅ  ２」については、ファイル識別情報「ファイル２」に対応して、その動画像の撮影記録開始日時および撮影記録終了日時が記録され、「Ｍｏｖｉｅ  ３」については、ファイル識別情報「ファイル３」に対応して、その動画像の撮影記録開始日時および撮影記録終了日時が記録される。
【００８３】
また、図７に、ＤＳＣ２２の場合の撮影画像ファイルの一覧リストの一例を示す。すなわち、このＤＳＣ２２の撮影画像ファイルの一覧リストは、ファイル番号などのファイル識別情報に対応して、記録日時の静止画像の撮影日時が記録されているものである。
【００８４】
この例の場合、図５に示すように、ＤＳＣ２２の記録メディア２０３には、８個の静止画ファイル「Ｓｔｉｌｌ  １」、「Ｓｔｉｌｌ  ２」、「Ｓｔｉｌｌ  ３」・・・「Ｓｔｉｌｌ  ８」が記録されている場合で、一覧リストとしては、図７に示すように、「Ｓｔｉｌｌ  １」については、ファイル識別情報「ファイル１」に対応して、その静止画像の撮影記録日時が記録され、「Ｓｔｉｌｌ  ２」については、ファイル識別情報「ファイル２」に対応して、その静止画像の撮影記録日時が記録され、・・・「Ｓｔｉｌｌ  ８」については、ファイル識別情報「ファイル８」に対応して、その静止画像の撮影記録日時が記録される。
【００８５】
後述するように、この実施形態では、ＣＡＭ２１およびＤＳＣ２２のそれぞれは、ＴＶ１０に接続されたとき、また、前記一覧リストを更新したときに、ＣＥＣライン３１Ｃおよび３２Ｃのそれぞれを通じて、当該一覧リストのデータを、ＴＶ１０に送信しておくようにする。
【００８６】
ＴＶ１０は、これらのＣＡＭ２１やＤＳＣ２２からの一覧リストのデータを取得すると、後述するように、当該取得した一覧リストのデータに基づいて、両者の一覧リストを統合して一画面に表示することができる、図８に一例として示すような一括一覧リストを生成して、表示する機能を備える。
【００８７】
そして、ＴＶ１０は、この一括一覧リストに掲載されている特定のファイルの選択入力を受け付けることができるように構成されており、例えばＣＡＭ２１のファイル２が使用者により再生指示選択されると、ＴＶ１０は、ＨＤＭＩケーブル３１に接続されているＣＡＭ２１に対して、ＣＥＣライン３１Ｃを通じて、「Ｍｏｖｉｅ  ２」の再生を指示するコマンドを送るようにする。
【００８８】
すると、ＣＡＭ２１のシステム制御部２１０は、ＣＥＣライン３１Ｃを通じたコマンドを解析して、記録メディア２０３から「Ｍｏｖｉｅ２」の画像データを読み出して、その再生画像データを高速バス３１Ｈを通じてＴＶ１０に伝送するようにする。ＴＶ１０は、これを受けて、再生画像をディスプレイ１０１に表示するようにする。
【００８９】
また、ＴＶ１０は、後述するように、この一括一覧リストの複数個の撮影画像ファイルについて、撮影記録時間の順に、撮影画像ファイルを順次に再生するスライドショーを実行する機能を備えている。この撮影時間順スライドショーの動作については、後で詳述する。
【００９０】
そして、この実施形態のＣＡＭ２１およびＤＳＣ２２は、記録メディア２０３への撮影画像ファイルの記録を行う毎に、また、記録画像ファイルの削除など、記録メディア２０３に記録されている撮影画像データについての一覧リストの更新を行う必要が生じたときに、当該一覧リストの更新処理を実行する。
【００９１】
［ＣＡＭ２１における一覧リストの生成］
図９およびその続きである図１０は、ＣＡＭ２１における撮影画像ファイルの一覧リストの作成処理の一例を説明するためのフローチャートである。このフローチャートの各ステップの処理は、ＣＡＭ２１のシステム制御部２１０のマイクロコンピュータが、ソフトウエア処理として実行するものである。なお、この例は、記録メディア２１０がリムーバル記録メディアとした場合である。
【００９２】
先ず、システム制御部２１０は、記録メディア２０３が装填されるのを待ち（ステップＳ１）、記録メディアが装填されたと否か判別したときには、当該記録メディアに既に撮影画像が記録されている撮像画像ファイルが存在しているか否かを判別する（ステップＳ２）。
【００９３】
ステップＳ２で、撮像画像ファイルがあると判別したときには、システム制御部２１０は、記録済み撮像画像ファイルから、撮影記録開始時間や撮影記録終了時間などの必要な付随情報を読み出して、それを撮影画像ファイル一覧リスト生成部２０７に渡し、既に記録されている撮像画像ファイルの一覧リストを生成させ、生成された一覧リストをメモリ２０８に格納するようにする（ステップＳ３）。このとき生成される一覧リストは、この例では、図６に示したように、ファイル識別子の例としてのファイル番号と、記録日時（撮影記録開始時間および撮影記録終了時間）とからなる。
【００９４】
また、ステップＳ２で、記録メディア２０３には撮像画像ファイルは記録されていないと判別したときには、システム制御部２１０は、空きの撮影画像ファイルの一覧リストを用意し、次に撮影画像ファイルが記録されたときのために、メモリ２０８に格納して用意をしておく（ステップＳ４）。
【００９５】
次に、システム制御部２１０は、使用者によって撮影記録スタート操作がなされたか否かを、操作部２０５および操作入力インターフェース２０６を通じて入力される操作信号を解析することにより判別する（ステップＳ５）。
【００９６】
このステップＳ５で、撮影記録スタート操作がなされたと判別したときには、システム制御部２１０は、撮影画像記録系２０１をアクティブとしてＣＡＭ２１を撮影記録モードにし、撮影画像データの記録メディア２０３への記録を開始する（ステップＳ６）。このとき、システム制御部２１０は、時計部２０９の時間を読み込み、撮影記録開始時間（年月日および時刻）を保持しておく。
【００９７】
次に、システム制御部２１０は、使用者によって撮影記録ストップ操作がなされたか否かを、操作部２０５および操作入力インターフェース２０６を通じて入力される操作信号を解析することにより判別する（ステップＳ７）。このステップＳ７で、撮影記録ストップ操作がなされていないと判別したときには、システム制御部２１０は、撮影記録モードを継続する。
【００９８】
また、ステップＳ７で、撮影記録ストップ操作がなされたと判別したときには、システム制御部２１０は、撮影記録モードを停止して、撮影画像データの記録メディア２０３への記録を停止する。このとき、システム制御部２１０は、時計部２０９の時間を読み込み、撮影記録終了時間（年月日および時刻）を保持しておく（ステップＳ８）。
【００９９】
そして、システム制御部２１０は、記録メディア２０３に記録した撮影画像データに対してファイル番号を付与し、保持している撮影記録開始時間や撮影記録終了時間や、撮影条件データなどの付随情報と併せて、記録メディア２０３の撮影画像データを撮影画像ファイル化する（図１０のステップＳ１１）。
【０１００】
そして、システム制御部２１０は、新たに撮影記録した撮影画像ファイルについてのリストデータ、つまり、この例では、ファイル識別子の例としてのファイル番号と、記録日時（撮影記録開始時間および撮影記録終了時間）との対を、メモリ２０８に格納されている一覧リストに追加する（ステップＳ１２）。
【０１０１】
そして、システム制御部２１０は、記録メディア２０３に記録されている撮影画像ファイルについての削除指示が操作部２０５を通じて使用者によりなされたか否かを判別する（ステップＳ１３）。
【０１０２】
このステップＳ１３で、削除指示がなされたと判別したときには、システム制御部２１０は、削除指示された撮影画像ファイルを記録メディア２０３から削除し（ステップＳ１４）、また、メモリ２０８の一覧リストからも、削除指示された撮影画像ファイルについてのリストデータを削除する（ステップＳ１５）。
【０１０３】
そして、システム制御部２１０は、ステップＳ１５から図９のステップＳ５に戻り、次の撮影記録スタート操作があったか否か判別する。そして、ステップＳ５で、撮影記録スタート操作があったと判別したときには、システム制御部２１０は、上述したステップＳ６以降の処理を繰り返す。また、ステップＳ５で、撮影記録スタート操作はなかったと判別したときには、システム制御部２１０は、ステップＳ１３にジャンプして、前述したステップＳ１３以降の処理を繰り返す。
【０１０４】
ステップＳ１３で、削除指示がなされていないと判別したときには、システム制御部２１０は、記録メディア２０３が取り出されたか（イジェクトされたか）否か判別する（ステップＳ１６）。そして、システム制御部２１０は、取り出されてはいないと判別したときには、他の処理を指示する操作が操作部２０５を通じてなされたか否か判別し（ステップＳ１７）、他の処理を指示する操作がなされたと判別したときには、当該指示された処理を実行する（ステップＳ１８）。そして、システム制御部２１０は、図９のステップＳ５に戻り、このステップＳ５以降の処理を繰り返す。また、ステップＳ１７で、他の処理を指示する操作がなされていないと判別したときにも、システム制御部２１０は、図９のステップＳ５に戻り、このステップＳ５以降の処理を繰り返す。
【０１０５】
また、ステップＳ１６で、記録メディア２０３が取り出されたと判別したときには、システム制御部２１０は、メモリ２０８に格納していた一覧リストのデータを削除し（ステップＳ１９）、この処理ルーチンを終了する。
【０１０６】
［ＤＳＣ２２における一覧リストの生成］
図１１およびその続きである図１２は、ＤＳＣ２２における撮影画像ファイルの一覧リストの作成処理の一例を説明するためのフローチャートである。このフローチャートの各ステップの処理は、ＤＳＣ２２のシステム制御部２１０のマイクロコンピュータが、ソフトウエア処理として実行するものである。なお、この例は、ＤＳＣ２２における記録メディア２０３がリムーバル記録メディアとした場合である。また、ＤＳＣ２２は、図２に示したものと同様の構成を備えるので、便宜上、図２の各処理ブロックの参照番号を用いて説明することとする。
【０１０７】
先ず、ＤＳＣ２２のシステム制御部２１０は、記録メディアが装填されるのを待ち（ステップＳ２１）、記録メディア２０３が装填されたと否か判別したときには、当該記録メディア２０３に既に撮影画像が記録されている撮像画像ファイルが存在しているか否かを判別する（ステップＳ２２）。
【０１０８】
ステップＳ２２で、撮像画像ファイルがあると判別したときには、ＤＳＣ２２のシステム制御部２１０は、記録済み撮像画像ファイルから、撮影記録開始時間や撮影記録終了時間などの必要な付随情報を読み出して、それを撮影画像ファイル一覧リスト生成部に渡し、既に記録されている撮像画像ファイルの一覧リストを生成させ、生成された一覧リストを、ＤＳＣ２２のメモリ２０８に格納するようにする（ステップＳ２３）。このとき生成される一覧リストは、この例では、図７に示したように、ファイル識別子の例としてのファイル番号と、静止画の撮影記録日時とからなる。
【０１０９】
また、ステップＳ２２で、記録メディアには撮像画像ファイルは記録されていないと判別したときには、ＤＳＣ２２のシステム制御部２１０は、空きの撮影画像ファイルの一覧リストを用意し、次に撮影画像ファイルが記録されたときのために、メモリ２０８に格納して用意をしておく（ステップＳ２４）。
【０１１０】
次に、ＤＳＣ２２のシステム制御部２１０は、使用者によってシャッターボタンが押下操作されたか否かを、操作部２０５および操作入力インターフェース２０６を通じて入力される操作信号を解析することにより判別する（ステップＳ２５）。
【０１１１】
このステップＳ２５で、シャッターボタンが押下操作されたと判別したときには、システム制御部２１０は、撮影画像記録系２０１をアクティブとしてＤＳＣ２２を撮影記録モードにし、静止画の撮影画像データを、新撮影画像ファイルとして記録メディア２０３に記録する（ステップＳ２６）。このとき、システム制御部２１０は、時計部２０９の時間を読み込み、撮影記録時間（年月日および時刻）を当該静止画の撮影画像ファイルの付随情報として保存する。
【０１１２】
そして、ＤＳＣ２２のシステム制御部２１０は、新たに撮影記録した撮影画像ファイルについてのリストデータ、つまり、この例では、ファイル識別子の例としてのファイル番号と、撮影記録日時との対を、メモリ２０８に格納されている一覧リストに追加する（ステップＳ２７）。
【０１１３】
そして、ＤＳＣ２２のシステム制御部２１０は、記録メディア２０３に記録されている撮影画像ファイルについての削除指示が操作部２０５を通じて使用者によりなされたか否かを判別する（図１２のステップＳ３１）。
【０１１４】
このステップＳ３１で、削除指示がなされたと判別したときには、ＤＳＣ２２のシステム制御部２１０は、削除指示された撮影画像ファイルを記録メディア２０３から削除し（ステップＳ３２）、また、メモリ２０８の一覧リストからも、削除指示された撮影画像ファイルについてのリストデータを削除する（ステップＳ３３）。
【０１１５】
そして、ＤＳＣ２２のシステム制御部２１０は、ステップＳ３３から図１１のステップＳ２５に戻り、次のシャッターボタン押下操作があったか否か判別する。そして、ステップＳ２５で、シャッターボタン押下操作があったと判別したときには、システム制御部２１０は、上述したステップＳ６以降の処理を繰り返す。また、ステップＳ５で、撮影記録スタート操作はなかったと判別したときには、ＤＳＣ２２のシステム制御部２１０は、ステップＳ３１にジャンプして、前述したステップＳ３１以降の処理を繰り返す。
【０１１６】
ステップＳ３１で、削除指示がなされていないと判別したときには、ＤＳＣ２２のシステム制御部２１０は、記録メディア２０３が取り出されたか（イジェクトされたか）否か判別する（ステップＳ３４）。そして、ＤＳＣ２２のシステム制御部２１０は、取り出されてはいないと判別したときには、他の処理を指示する操作が操作部２０５を通じてなされたか否か判別し（ステップＳ３５）、他の処理を指示する操作がなされたと判別したときには、当該指示された処理を実行する（ステップＳ３６）。そして、システム制御部２１０は、図１１のステップＳ２５に戻り、このステップＳ２５以降の処理を繰り返す。また、ステップＳ３５で、他の処理を指示する操作がなされていないと判別したときにも、システム制御部２１０は、図１１のステップＳ２５に戻り、このステップＳ２５以降の処理を繰り返す。
【０１１７】
また、ステップＳ３４で、記録メディア２０３が取り出されたと判別したときには、システム制御部２１０は、メモリ２０８に格納していた一覧リストのデータを削除し（ステップＳ３７）、この処理ルーチンを終了する。
【０１１８】
［ＣＡＭ２１およびＤＳＣ２２のＴＶ１０への一覧リスト送信処理］
ＣＡＭ２１やＤＳＣ２２が、ＨＤＭＩインターフェース（ＨＤＭＩケーブル）を通じてＴＶ１０に接続されてから、その接続状態が解除されるまでにおける、一覧リストのデータの送信について、ＣＡＭ２１やＤＳＣ２２で行われる処理の例を図１３に示す。ＣＡＭ２１の場合として、この図１３のフローチャートの処理を説明する。すなわち、ここでは、図１３のフローチャートにおける各処理ステップは、ＣＡＭ２１のシステム制御部２１０が実行する。
【０１１９】
先ず、ＨＤＭＩケーブル３１によって送信処理装置としてのＣＡＭ２１と受信処理装置としてのＴＶ１０とが接続されると、ＣＡＭ２１のシステム制御部２１０は、ＨＤＭＩインターフェースにおける接続状態の情報を取得する（ステップＳ４１）。これは、ＨＤＭＩケーブル３１の中に、受信機器がコントロールするＨＰＤ（Ｈｏｔ  Ｐｌｕｇ  Ｄｅｔｅｃｔｅｄ）という信号線があり、システム制御部２１０が、このＨＰＤを監視することにより、ＨＤＭＩで受信機器と接続がされたか否かがわかるという仕組みを用いるものである。
【０１２０】
そして、このステップＳ１でのＨＰＤを通じた接続状態の情報の取得に基づいて、システム制御部２１０は、ＨＤＭＩインターフェースで受信機器が接続された状態であるか否か判別し（ステップＳ４２）、接続状態ではないと判別したときには、ステップＳ４１に戻り、接続状態の監視を継続する。
【０１２１】
そして、ステップＳ４２で、接続状態であると判別したときには、システム制御部２１０は、低速バス（ＤＤＣ）３１Ｌを通じて、ＴＶ１０の受信側情報メモリ１１３に記憶されている受信側情報、この例では、ＥＤＩＤを取得し、バイナリデータであるこのＥＤＩＤを解析することにより、ＴＶ１０のディスプレイ１０１で表示することが可能な水平同期周波数、垂直同期周波数、ビデオ解像度などの情報を認識する（ステップＳ４３）。
【０１２２】
次に、システム制御部２１０は、メモリ２０８に格納されている撮影画像ファイルの一覧リストのデータを、ＨＤＭＩケーブル３１のＣＥＣライン３１Ｃを通じてＴＶ１０に送る（ステップＳ４４）。
【０１２３】
そして、システム制御部２１０は、前記一覧リストのデータのすべてを送信するのを待ち（ステップＳ４５）、前記一覧リストのデータのすべてを送信したと判別したときには、一覧リストの内容が更新されたか否か判別し（ステップＳ４６）、更新されたと判別したときには、ステップＳ４４に戻って、更新後の一覧リストのデータをＴＶ１０に送信し、このステップＳ４４以降の処理を繰り返す。
【０１２４】
また、ステップＳ４６で、一覧リストの内容が更新されてはいないと判別したときには、システム制御部２１０は、前記ＨＰＤを通じた接続状態の情報の取得に基づいて、ＨＤＭＩインターフェースを通じたＴＶ１０との接続状態が解除されたか否か判別し（ステップＳ４７）、接続状態が解除されてはいないと判別したときには、ステップＳ４６に戻り、一覧リストの更新がなされたか否かの監視を継続する。また、ステップＳ４７で、接続状態が解除されたと判別したときには、システム制御部２１０は、この処理ルーチンを終了する。
【０１２５】
［ＴＶ１０の一覧リスト受信処理］
ＴＶ１０に、ＣＡＭ２１やＤＳＣ２２が、ＨＤＭＩインターフェース（ＨＤＭＩケーブル）を通じて接続されてから、その接続状態が解除されるまでにおける、ＴＶ１０での一覧リストのデータの受信処理の例を図１４に示す。この図１４のフローチャートにおける各処理ステップは、ＴＶ１０のシステム制御部１１０が実行する。なお、この例では、ＨＤＭＩ受信部１０３に接続されるＨＤＭＩ端子はＨＤＭＩ端子Ｔ１、また、ＨＤＭＩ受信部１０４に接続されるＨＤＭＩ端子はＨＤＭＩ端子Ｔ２と称することとする。
【０１２６】
先ず、システム制御部１１０は、複数個のＨＤＭＩ端子のいずれかに、新規に、ＨＤＭＩケーブルを通じて送信処理装置が接続されたか否かを、各ＨＤＭＩケーブルの前記ＨＰＤを監視することにより判別する（ステップＳ５１）。このステップＳ５１の処理は、例えば、システム制御部１１０が、先ずＨＤＭＩ端子Ｔ１にＨＤＭＩケーブルを通じて送信処理装置が接続されたか否か判別し、接続されていないと判別したときには、続いてＨＤＭＩ端子Ｔ２にＨＤＭＩケーブルを通じて送信処理装置が接続された否か判別するようにして、すべてのＨＤＭＩ端子を順次にサーチするようにする行うことができる。
【０１２７】
このように、ステップＳ５１では、ＴＶ１０が持つＨＤＭＩ端子のすべてについて順次にサーチするようにしても良いが、既にＨＤＭＩケーブルを通じて送信処理装置が接続されているＨＤＭＩ端子については、スキップしてサーチを行うようにしても勿論良い。
【０１２８】
このステップＳ５１で、ＨＤＭＩ端子に対して、新規に接続された送信処理装置は存在しないと判別したときには、システム制御部１１０は、既に接続中のＨＤＭＩ端子は存在するか否か判別する（ステップＳ５２）。そして、接続中のＨＤＭＩ端子が存在していないと判別したときには、システム制御部１１０は、ステップＳ５１に戻って、複数のＨＤＭＩ端子Ｔ１，Ｔ２のいずれかに送信処理装置が接続されるのを待つ。
【０１２９】
また、ステップＳ５１で、いずれかのＨＤＭＩ端子に送信処理装置が新規に接続されたと判別したときには、システム制御部１１０は、送信処理装置が接続されたＨＤＭＩ端子を認識して、その認識情報を保持する（ステップＳ５３）。
【０１３０】
そして、システム制御部１１０は、受信側情報メモリ１１３からＥＤＩＤ情報を読み出して、ＨＤＭＩケーブルの低速バス（ＤＤＣ）を通じて、そのＥＤＩＤ情報を送信処理装置に送る（ステップＳ５４）。
【０１３１】
ＣＡＭ２１やＤＳＣ２２が、送信処理装置として、ＨＤＭＩケーブルを通じて接続されたときには、前述したように、撮影画像ファイルの一覧リストのデータが、送信処理装置からＣＥＣラインを通じて送られてくる。そこで、システム制御部１１０は、ステップＳ５４の次にはステップＳ５５に進み、新たに接続されたＨＤＭＩケーブルのＣＥＣラインを通じて一覧リストのデータが送られてくるか否か判別する。
【０１３２】
そして、ステップＳ５５で、例えば所定の時間（送信処理装置がＣＡＭやＤＳＣの場合に、接続後、一覧リストのデータを送出するであろう時間に、余裕時間を加えた時間）以内に、一覧リストのデータを、ＣＥＣラインを通じて受信したと判別したときには、システム制御部１１０は、その受信した一覧リストのデータを、送信処理装置の識別情報あるいはＨＤＭＩ端子番号などのＨＤＭＩ端子の識別情報に対応して、一覧リストメモリ１１４に記憶する（ステップＳ５６）。その後、システム制御部１１０は、ステップＳ５７に進む。
【０１３３】
また、ＨＤＭＩ端子に接続された送信処理装置が、ＣＡＭやＤＳＣなどの画像撮影機器ではないため、ステップＳ５５で、ＣＥＣラインを通じた一覧リストのデータを受信しなかったと判別したときには、ステップＳ５６を行わずに、ステップＳ５７にジャンプする。
【０１３４】
ステップＳ５７では、システム制御部１１０は、接続中のＨＤＭＩ端子に接続されていた送信処理装置が切断されたか否かについて、前記ＨＰＤを監視することにより判別する。そして、このステップＳ５７で、接続中のＨＤＭＩ端子についての送信処理装置の接続は継続していると判別したときには、システム制御部１１０は、ステップＳ５１に戻り、ステップＳ５１以降の処理を繰り返す。
【０１３５】
また、ステップＳ５７で、接続中のＨＤＭＩ端子についての送信処理装置の接続が切断されたと判別したときには、当該切断されたＨＤＭＩ端子を認識し（ステップＳ５８）、対応する一覧リストが、一覧リストメモリ１１４に格納されているか否か判別する（ステップＳ５９）。
【０１３６】
そして、ステップＳ５９で、対応する一覧リストが、一覧リストメモリ１１４に格納されていると判別したときには、システム制御部１１０は、接続が切断された送信処理装置からの一覧リストのデータを、一覧リストメモリ１１４から削除する（ステップＳ６０）。その後、システム制御部１１０は、ＨＤＭＩ端子についての接続の切断時の処理を行い（ステップＳ６１）、ステップＳ５１に戻る。
【０１３７】
また、前述したように、接続中のＣＡＭやＤＳＣなどの送信処理装置は、一覧リストを更新する毎に、その更新後の一覧リストを、ＣＥＣラインを通じて送るように構成されている。そこで、この例では、システム制御部１１０は、ステップＳ５２で、送信処理装置が接続中のＨＤＭＩ端子が存在していると判別したときには、ステップＳ６２に進み、接続中のＨＤＭＩケーブルのＣＥＣラインを通じて送られてくる一覧リストのデータを受信したか否か、判別する。
【０１３８】
そして、ステップＳ６２で、一覧リストのデータを受信したと判別したときには、システム制御部１１０は、受信した一覧リストのデータにより、メモリ１１４に格納されている、当該一覧リストを受信したＨＤＭＩ端子に接続された送信処理装置に対応する一覧リストのデータを更新する（ステップＳ６３）。そして、システム制御部１１０は、このステップＳ６３の次には、ステップＳ５７に進む。また、ステップＳ６２で、一覧リストのデータを受信しなかったと判別したときにも、システム制御部１１０は、ステップＳ６２からステップＳ５７にジャンプする。そして、前述したステップＳ５７以降の処理を繰り返す。
【０１３９】
以上の処理動作により、ＴＶ１０のＨＤＭＩ端子にＣＡＭやＤＳＣが接続されたときには、当該ＣＡＭやＤＳＣの撮影画像ファイルの一覧リストのデータが、予め、ＣＥＣラインを通じてＴＶ１０に送られて、一覧リストメモリ１１４に格納されるものである。しかも、ＣＡＭやＤＳＣで、撮影画像ファイルが更新されると、その一覧リストのデータも更新されるので、常に、接続されているＣＡＭやＤＳＣの最新の撮影画像ファイルの最新の一覧リストのデータが一覧リストメモリ１１４には、格納される。
【０１４０】
次に、この一覧リストメモリ１１４に記憶された一覧リストデータを用いたＴＶ１０での処理の幾つかの例について説明する。
【０１４１】
［ＴＶ１０におけるユーザ操作入力（リモコン入力）の処理］
図１５、図１６および図１７は、ＴＶ１０に対してリモコン送信機１１２から、ＣＡＭやＤＳＣなどの撮影画像記録機器についてのコマンド入力がなされたときの、ＴＶ１０における処理動作の例を説明するためのフローチャートである。この場合にも、各ステップは、システム制御部１１０により実行されるのは、前述の場合と同様である。
【０１４２】
先ず、システム制御部１１０は、例えば、リモコン送信機１１２において、撮影画像の再生に関連するボタン操作がなされたか否か判別する（ステップＳ７１）。ここで、撮影画像の再生に関連するボタン操作とは、特定の撮影画像ファイルを指定した再生指示操作だけでなく、スライドショーの指示操作なども含む。このステップＳ７１で、撮影画像の再生に関連するボタン操作がなされていないと判別したときには、システム制御部１１０は、その他の処理を行う（ステップＳ７２）。
【０１４３】
また、ステップＳ７１で、撮影画像の再生に関連するボタン操作がなされたと判別したときには、システム制御部１１０は、そのときにＨＤＭＩ端子に接続されている送信処理装置であって、ＣＡＭやＤＳＣから送られてきている一覧リストのすべてを一覧できるようにした一括一覧リストの表示情報を生成し、当該一括一覧リストをディスプレイ１０１の画面に表示する（ステップＳ７３）。
【０１４４】
この一括一覧リストは、この例では、前述の図８に示したように、各ＨＤＭＩ端子に接続された機器の識別情報（あるいはＨＤＭＩ端子番号などのＨＤＭＩ端子識別情報）に対応した撮影画像ファイルについての撮影記録時間の情報から構成されている。
【０１４５】
次に、システム制御部１１０は、リモコン送信機１１２を通じて、ＣＡＭまたはＤＳＣのいずれかの特定の送信処理装置についての特定の撮像画像ファイルの再生モードの選択指示がなされたか否か判別する（ステップＳ７４）。
【０１４６】
そして、ステップＳ７４で、ＣＡＭまたはＤＳＣのいずれかの特定の送信処理装置についての特定の撮像画像ファイルの再生モードの選択指示がなされたと判別したときには、システム制御部１１０は、一括一覧リストの複数の撮影画像ファイルのうちの特定の一つの撮影画像ファイルの指定を受け付ける（ステップＳ７５）。このとき、システム制御部１１０は、一括一覧リストから選択された撮影画像ファイルについて、当該選択された撮影画像ファイルが記録メディアに記録されているＣＡＭまたはＤＳＣなどの送信処理装置の識別子（あるいはＨＤＭＩ端子の識別子）と、ファイル番号などのファイル識別子とを認識する。
【０１４７】
なお、上述のことから分かるように、このときの撮影画像ファイルの指定には、ＣＡＭやＤＳＣなどの撮影画像記録機器の選択操作は不要であり、撮影画像ファイルの選択操作のみでよい。
【０１４８】
次に、システム制御部１１０は、指定された撮影画像ファイルを記録メディアに格納している送信処理装置が接続されているＨＤＭＩ端子を認識し、当該ＨＤＭＩ端子に接続されているＨＤＭＩケーブルのＣＥＣラインを通じて、ステップＳ７５で指定された撮影画像ファイルの再生要求を送る（ステップＳ７６）。
【０１４９】
この再生要求を受けたＣＡＭまたはＤＳＣからなる送信処理装置は、再生要求された撮影画像ファイルの画像データを、記録メディアから読み出してデコードし、ＨＤＭＩケーブルの高速バスを通じてＴＶ１０に送信するようにする。
【０１５０】
そこで、ＴＶ１０のシステム制御部１１０は、前記高速バスを通じて送られてくる画像データを受信して、ディスプレイ１０１に、その再生画像を表示する処理を行わせるように制御する（ステップＳ７７）。
【０１５１】
次に、システム制御部１１０は、ＣＡＭまたはＤＳＣのいずれかの特定の送信処理装置についての特定の撮像画像ファイルの再生モードから、他の機能モードに変更されたか否か判別し（ステップＳ７８）、変更されていないと判別したときには、ステップＳ７５に戻り、次に再生する撮影画像ファイルの指定を受け付け、このステップＳ７５以降の処理を繰り返す。
【０１５２】
そして、ステップＳ７８で、他のモードに変更されたと判別したとき、また、ステップＳ７４で、ＣＡＭまたはＤＳＣのいずれかの特定の送信処理装置についての特定の撮像画像ファイルの再生モードは選択されていないと判別したときには、システム制御部１１０は、スライドショーが選択されたか否か判別し（図１６のステップＳ８１）、スライドショーではないと判別したときには、その他の処理に移行する（ステップＳ８２）。
【０１５３】
ここで、この実施形態のスライドショーは、撮影画像ファイルがＣＡＭとＤＳＣのいずれにあるかに関係なく、撮影時刻順に順次に一定時間ずつ、再生を実行するようにするものである。
【０１５４】
ステップＳ８１で、スライドショーが選択されたと判別したときには、システム制御部１１０は、スライドショーの対象となる撮影画像ファイルは一括一覧リストの全てであるか、選択する撮影画像ファイルのみであるかどうかの問い合わせ表示をディスプレイ１０１において行う（ステップＳ８３）。
【０１５５】
この問い合わせに対する使用者の回答操作を受けて、システム制御部１１０は、スライドショーの対象となる撮影画像ファイルは一括一覧リストの全てであるか否か判別し（ステップＳ８４）、全てであると判別したときには、ＣＡＭやＤＳＣなど、ＨＤＭＩ端子に接続されている送信処理装置（撮影画像記録機）のそれぞれに対して、一覧リストの全ての撮影画像ファイルが再生対象として選択されていることを示すコマンドを、ＣＥＣラインを通じて送信しておく（ステップＳ８５）。なお、このときには、システム制御部１１０は、一括一覧リストをＴＶ側のスライドショーのプレイリストとして認識する。
【０１５６】
このコマンドを受けて、ＣＡＭやＤＳＣでは、自機の一覧リストにある全ての撮影画像ファイルが再生対象となることを認識し、次のコマンドの到来を待つことになる。
【０１５７】
次に、システム制御部１１０は、リモコン送信機１１２を通じて使用者からスライドショーの開始指示操作を待ち（ステップＳ８６）、スライドショーの開始指示操作があったと判別したときには、この実施形態の撮影時刻順のスライドショーを実行する（ステップＳ８７）。このステップＳ８７のスライドショーの処理内容については、後でさらに詳述する。
【０１５８】
また、ステップＳ８３での問い合わせに対する使用者の回答操作により、ステップＳ８４で、スライドショーの対象となる撮影画像ファイルは一括一覧リストの全てではなく、使用者が選択する撮影画像ファイルのみであると判別したときには、この例では、システム制御部１１０は、先ず、スライドショーの対象となる送信処理装置についての選択指定を受け付ける（ステップＳ８８）。このステップＳ８８におけるスライドショーの対象となる送信処理装置の選択指定においては、１台の送信処理装置の選択指定のみではなく、複数台の選択指定およびＨＤＭＩ端子に接続されている全ての送信処理装置の選択指定もできるように構成されている。
【０１５９】
このステップＳ８８におけるスライドショーの対象となる送信処理装置の選択指定の受付を終了すると、システム制御部１１０は、選択指定された送信処理装置のうちの１台目に対して、ＣＥＣラインを通じて、一覧リストの撮影画像ファイルのそれぞれについてのサムネイル画像を要求するコマンドを送る（図１７のステップＳ９１）。
【０１６０】
この要求に応じて、送信処理装置からは、一覧リストの撮影画像ファイルのそれぞれについてのサムネイル画像をＨＤＭＩケーブルの高速バスを通じて送られてくる。そこで、システム制御部１１０は、ＨＤＭＩ受信部１０３または１０４を通じて、このサムネイル画像を受け取り、切替部１０５、表示信号生成部１０６、表示制御部１０７を通じてディスプレイ１０１に表示させるように制御する（ステップＳ９２）。
【０１６１】
このとき、ディスプレイ１０１の表示画面には、送信処理装置がＣＡＭ２１のときには、図１８（Ａ）に示すように、動画の撮影画像ファイル「Ｍｏｖｉｅ  １」、「Ｍｏｖｉｅ  ２」、「Ｍｏｖｉｅ  ３」の先頭などの一シーンのサムネイル画像が表示され、また、送信処理装置がＤＳＣ２２のときには、図１８（Ｂ）に示すように、静止画の撮影画像ファイル「Ｓｔｉｌｌ  １」、「Ｓｔｉｌｌ  ２」、「Ｓｔｉｌｌ  ３」、・・・、「Ｓｔｉｌｌ  ８」のサムネイル画像が表示されるものとなる。
【０１６２】
使用者は、ディスプレイ１０１に表示されているサムネイル画像を見ながら、スライドショーの対象となる撮影画像ファイルの選択指定を行うので、システム制御部１１０は、当該スライドショーの対象となる撮影画像ファイルの使用者による選択指定を受け付ける（ステップＳ９３）。
【０１６３】
次いで、システム制御部１１０は、選択指定された撮影画像ファイルについての選択指定コマンドを、対応する送信処理装置に対して、ＣＥＣラインを通じて送信する（ステップＳ９４）。後述するように、この撮影画像ファイルの選択指定コマンドを受け取ったＣＡＭやＤＳＣなどの送信処理装置は、スライドショー用のプレイリストを生成して保持するようにする。
【０１６４】
そして、システム制御部１１０は、１台の送信処理装置（１個のＨＤＭＩ端子）についてのスライドショーの対象となる撮影画像ファイルの選択指定が終了したか否か、使用者の入力操作に基づいて判別し（ステップＳ９５）、選択指定終了ではないと判別したときには、ステップＳ９３に戻り、次の撮影画像ファイルの選択指定を受け付ける。
【０１６５】
また、ステップＳ９５で、１台の送信処理装置（１個のＨＤＭＩ端子）についてのスライドショーの対象となる撮影画像ファイルの選択指定が終了したと判別したときには、ＴＶ１０側での当該対象送信処理装置用のプレイリスト（後述するＣＡＭ用プレイリストやＤＳＣ用プレイリスト）を作成し、当該作成したプレイリストを、送信処理装置またはＨＤＭＩ端子の識別子に対応させて、一覧リストメモリ１１４に格納する（ステップＳ９６）。
【０１６６】
そして、次に、システム制御部１１０は、ＨＤＭＩ端子に接続された他の対象機器（ステップＳ８８で選択指定された機器）があるか否か判別し（ステップＳ９７）、あると判別したときには、システム制御部１１０は、ステップＳ９１に戻って、その対象機器にＣＥＣラインを通じて、一覧リストの撮影画像ファイルのそれぞれについてのサムネイル画像を要求するコマンドを送る。そして、前述したステップＳ９１以降の処理を行って、当該対象機器の記録メディアに格納されている撮影画像ファイルの中から、スライドショーの対象となる撮影画像ファイルの使用者による選択指定を受け付け、当該対象機器にプレイリストを作成させるようにすると共に、ＴＶ１０側にも、当該対象機器についてのプレイリストを作成保持するようにする。
【０１６７】
そして、以上の処理を、ＨＤＭＩ端子に接続された対象機器の全てについて行い、ステップＳ９７で、ＨＤＭＩ端子に接続された対象機器についての前記処理が全て終了したと判別したときには、システム制御部１１０は、使用者からのリモコン送信機１１２を通じたスライドショーの開始指示を待って（図１６のステップＳ８６）、スライドショーの開始指示がなされたと判別したときには、スライドショーの処理動作を開始するようにする（ステップＳ８７）。
【０１６８】
［スライドショーの処理動作（ＴＶ１０側）］
図１９〜図２４に、スライドショーの実行時のＴＶ１０における処理動作のフローチャートの例を示す。このフローチャートの処理もシステム制御部１１０が実行するものである。なお、この図１９〜図２４では、ＨＤＭＩ端子Ｔ１にＣＡＭが接続され、ＨＤＭＩ端子Ｔ２にＤＳＣが接続されていて、それぞれの記録メディア２０３に記録されている撮影画像ファイルを、前述したプレイリストに基づいて、撮影記録時間順に再生してスライドショーを実行する。
【０１６９】
なお、ＨＤＭＩ端子Ｔ１およびＴ２に接続された機器がＣＡＭであるかＤＳＣであるかは、例えば送信処理装置から送られてくる一覧リストの時間情報が、開始時間〜終了時間の構成となっている場合には、ＣＡＭと認識し、一覧リストの時間情報が、記録時間のみとなっている場合には、ＤＳＣと認識することができる。
【０１７０】
スライドショーの開始操作がなされると、システム制御部１１０は、この例では、メモリ１１４に記憶しているＣＡＭ用のプレイリスト（プレイリストが一括一覧リストの場合には、ＣＡＭについての一覧リスト部分）の先頭の撮影画像ファイルの記録開始時間を時間Ｘ（時間Ｘは、ＣＡＭにおける撮影記録時間）として認識する（図１９のステップＳ１０１）。
【０１７１】
次に、システム制御部１１０は、ＣＡＭに、ＣＥＣラインを通じてプレイリストの先頭の撮影画像ファイルの１フレーム目の画像データを要求するコマンドを送信する（ステップＳ１０２）。ここで、このコマンドは、撮影画像ファイルを特定する識別子は不要であり、単に、ＣＡＭに生成されているスライドショー用のプレイリストの先頭の撮影画像ファイルの１フレーム目の画像データを要求するコマンドでよい。
【０１７２】
このコマンド送信に対しては、ＣＡＭからは、スライドショー用のプレイリストの先頭の撮影画像ファイルの１フレーム目の画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの左半分に、ポーズ表示（静止画として表示）させるように制御する（ステップＳ１０３）。
【０１７３】
次に、システム制御部１１０は、この例では、メモリ１１４に記憶しているＤＳＣ用のプレイリスト（プレイリストが一括一覧リストの場合には、ＤＳＣについての一覧リスト部分）の先頭の撮影画像ファイルの記録時間を時間Ｙ（時間ＹはＤＳＣにおける撮影記録時間）として認識する（ステップＳ１０４）。
【０１７４】
次に、システム制御部１１０は、ＤＳＣに、ＣＥＣラインを通じてプレイリストの先頭の撮影画像ファイルの静止画画像データを要求するコマンドを送信する（ステップＳ１０５）。ここで、このコマンドは、撮影画像ファイルを特定する識別子は不要であり、単に、ＤＳＣに生成されているスライドショー用のプレイリストの先頭の撮影画像ファイルの静止画画像データを要求するコマンドでよい。
【０１７５】
このコマンド送信に対しては、ＤＳＣからは、スライドショー用のプレイリストの先頭の撮影画像ファイルの静止画画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの右半分に、静止画表示させるように制御する（ステップＳ１０６）。このときの画面１０１Ｄにおける表示例を図２５に示す。
【０１７６】
次に、システム制御部１１０は、時間Ｘと時間Ｙとを比較し、時間Ｙよりも時間Ｘの方が前の時点であるか否か判別する（ステップＳ１０７）。そして、このステップＳ１０７で、時間Ｙの方がＸよりも前の時点であると判別したときには、システム制御部１１０は、ＤＳＣ用のプレイリストには、未再生の対象ファイルが残っているか否か判別し（図２０のステップＳ１１１）、残っていると判別したときには、ＴＶ１０側のＤＳＣ用プレイリストの次の撮影画像ファイルの記録時間を時間Ｙとして認識する（ステップＳ１１２）。
【０１７７】
次に、システム制御部１１０は、ＤＳＣに、ＣＥＣラインを通じてＤＳＣが備えるプレイリストの次の撮影画像ファイルの静止画画像データを要求するコマンドを送信する（ステップＳ１１３）。ここで、このコマンドは、撮影画像ファイルを特定する識別子は不要であり、単に、ＤＳＣに生成されているスライドショー用のプレイリストの次の撮影画像ファイルの静止画画像データを要求するコマンドでよい。
【０１７８】
このコマンド送信に対しては、ＤＳＣからは、スライドショー用のプレイリストの次の撮影画像ファイルの静止画画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの右半分に、静止画表示させて、表示画像を更新するように制御する（ステップＳ１１４）。
【０１７９】
次に、システム制御部１１０は、時間Ｘと時間Ｙとを比較し、時間Ｙよりも時間Ｘの方が前の時点であるか否か判別する（ステップＳ１１５）。そして、このステップＳ１１５で、時間Ｙの方がＸよりも前の時点であると判別したときには、システム制御部１１０は、ステップＳ１１１に戻り、このステップＳ１１１以降の処理を繰り返す。
【０１８０】
ステップＳ１１５で、時間Ｙよりも時間Ｘの方が前の時点であると判別したとき、また、ステップＳ１０７で、時間Ｙよりも時間Ｘの方が前の時点であると判別したときには、システム制御部１１０は、ＣＥＣラインを通じて、ＤＳＣには、再生中の画像のポーズ要求のコマンドを、ＣＡＭには、ポーズを解除して動画の再生要求をするコマンドを、それぞれ送信する（図２１のステップＳ１２１）。
【０１８１】
これらのコマンド要求に応じて、ＤＳＣからは同じ撮像画像データが高速バスを通じて送られてくるので、それを受けて、ディスプレイ１０１の表示画面１０１Ｄの右半分に継続表示（静止画表示）すると共に、ＣＡＭからはポーズ状態にあった画像を再生して動画表示するようにする画像データが高速バスを通じて送られてくるので、それを受けて、ディスプレイ１０１の表示画面１０１Ｄの左半分において動画再生表示するようにする（ステップＳ１２２）。
【０１８２】
次に、システム制御部１１０は、ＣＡＭへの動画再生指示時点から、予め定めた一定時間経過したか否か判別する（ステップＳ１２３）。このステップＳ１２３で、一定時間経過したと判別したときには、そのときのＣＡＭからの再生画像シーン（フレーム）の時刻を時間Ｘとして取得する（ステップＳ１２４）。
【０１８３】
そして、システム制御部１１０は、時間Ｘと時間Ｙとを比較し、時間Ｙよりも時間Ｘの方が前の時点であるか否か判別する（ステップＳ１２５）。そして、このステップＳ１２５で、時間ＹよりもＸの方が前の時点であると判別したときには、システム制御部１１０は、ステップＳ１２２に戻り、ディスプレイ１０１の画面の右側には、ＤＳＣからの同じ静止画を継続表示すると共に、左側には、ＣＡＭからの同じ撮影画像ファイルの動画を再生し続ける。そして、このステップＳ１２２以降の処理を繰り返す。
【０１８４】
また、ステップＳ１２５で、時間Ｘよりも時間Ｙの方が前の時点であると判別したときには、システム制御部１１０は、ＴＶ１０側のＤＳＣ用プレイリストの次の撮影画像ファイルの記録時間を時間Ｙとして認識する（ステップＳ１２６）。
【０１８５】
次に、システム制御部１１０は、ＤＳＣに、ＣＥＣラインを通じてＤＳＣが備えるプレイリストの次の撮影画像ファイルの静止画画像データを要求するコマンドを送信する（ステップＳ１２７）。ここで、このコマンドは、撮影画像ファイルを特定する識別子は不要であり、単に、ＤＳＣに生成されているスライドショー用のプレイリストの次の撮影画像ファイルの静止画画像データを要求するコマンドでよい。
【０１８６】
このコマンド送信に対しては、ＤＳＣからは、スライドショー用のプレイリストの次の撮影画像ファイルの静止画画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの右半分に、静止画表示させて、表示画像を更新するように制御する（ステップＳ１２８）。
【０１８７】
このステップＳ１２８の次には、システム制御部１１０は、ステップＳ１２５に戻り、前述したこのステップＳ１２５以降の処理を繰り返す。
【０１８８】
ステップＳ１２３で、ＣＡＭへの再生要求から一定時間経過してはいないと判別したときには、システム制御部１１０は、ＣＡＭに再生要求した撮影画像ファイルの画像再生が終了したか否か判別する（ステップＳ１２９）。この判別は、ＴＶ側プレイリストにおける撮影記録終了時刻と、再生フレームの時刻とを比較することにより行うこともできるし、ＣＡＭからの画像データが無くなることを検出することにより行うこともできる。
【０１８９】
このステップＳ１２９で、撮影画像ファイルの画像再生が終了してはいないと判別したときには、システム制御部１１０は、ステップＳ１２２に戻り、ディスプレイ１０１の画面１０１Ｄの左半分における動画再生を継続する。そして、このステップＳ１２２以降の処理を繰り返す。
【０１９０】
また、ステップＳ１２９で、撮影画像ファイルの画像再生が終了したと判別したときには、システム制御部１１０は、ＴＶ１０側のＣＡＭ用のプレイリストには、スライドショーの対象ファイルが残っているか否か判別する（図２２のステップＳ１３１）。
【０１９１】
このステップＳ１３１で、ＣＡＭには対象ファイルが残っていると判別したときには、システム制御部１１０は、ＴＶ側のＣＡＭ用のプレイリストから、次の撮影画像ファイルの１フレーム目の記録開始時刻を時間Ｘとして認識する（ステップＳ１３２）。
【０１９２】
次に、システム制御部１１０は、ＣＡＭに、ＣＥＣラインを通じてプレイリストの次の撮影画像ファイルの１フレーム目の画像データを要求するコマンドを送信する（ステップＳ１３３）。ここで、このコマンドは、撮影画像ファイルを特定する識別子は不要であり、単に、ＣＡＭに生成されているスライドショー用のプレイリストの次の撮影画像ファイルの１フレーム目の画像データを要求するコマンドでよい。
【０１９３】
このコマンド送信に対しては、ＣＡＭからは、スライドショー用のプレイリストの次の撮影画像ファイルの１フレーム目の画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの左半分に、ポーズ表示（静止画として表示）させるように制御する（ステップＳ１３４）。
【０１９４】
そして、このステップＳ１３４の次には、図２１のステップＳ１２５に進み、前述したこのステップＳ１２５以降の処理を繰り返す。
【０１９５】
そして、ステップＳ１３１で、ＣＡＭには対象ファイルが残っていないと判別したときには、システム制御部１１０は、ＤＳＣには対象ファイルが残っているか否か判別し（ステップＳ１３５）、残っていないと判別したときには、システム制御部１１０は、このスライドショーの処理ルーチンを終了する。
【０１９６】
また、ステップＳ１３５で、ＤＳＣには対象ファイルが残っていると判別したときには、システム制御部１１０は、ＤＳＣに、ＣＥＣラインを通じてＤＳＣが備えるプレイリストの次の撮影画像ファイルの静止画画像データを要求するコマンドを送信する（ステップＳ１３６）。ここで、このコマンドは、撮影画像ファイルを特定する識別子は不要であり、単に、ＤＳＣに生成されているスライドショー用のプレイリストの次の撮影画像ファイルの静止画画像データを要求するコマンドでよい。
【０１９７】
このコマンド送信に対しては、ＤＳＣからは、スライドショー用のプレイリストの次の撮影画像ファイルの静止画画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの右半分に、静止画表示させて、表示画像を更新するように制御する（ステップＳ１３７）。
【０１９８】
そして、ステップＳ１３７で、予め定められた時間だけ、撮影画像ファイルの静止画画像を表示したら、システム制御部１１０は、ステップＳ１３５に戻り、ＤＳＣのプレイリストの対象ファイルの最後まで、ステップＳ１３５からステップＳ１３７の処理を繰り返す。
【０１９９】
また、図２０のステップＳ１１１で、ＤＳＣには対象ファイルが残っていないと判別したときには、システム制御部１１０は、ＣＥＣラインを通じて、ＤＳＣには、再生中の画像のポーズ要求のコマンドを、ＣＡＭには、ポーズを解除して動画の再生要求をするコマンドを、それぞれ送信する（図２３のステップＳ１４１）。
【０２００】
これらのコマンド要求に応じて、ＤＳＣからは同じ撮像画像データが高速バスを通じて送られてくるので、それを受けて、ディスプレイ１０１の表示画面１０１Ｄの右半分に継続表示（静止画表示）すると共に、ＣＡＭからはポーズ状態にあった画像を再生して動画表示するようにする画像データが高速バスを通じて送られてくるので、それを受けて、ディスプレイ１０１の表示画面１０１Ｄの左半分において動画再生表示するようにする（ステップＳ１４２）。
【０２０１】
次に、システム制御部１１０は、ＣＡＭへの動画再生指示時点から、予め定めた一定時間経過したか否か判別する（ステップＳ１４３）。このステップＳ１４３で、ＣＡＭへの再生要求から一定時間経過してはいないと判別したときには、システム制御部１１０は、ＣＡＭに再生要求した撮影画像ファイルの画像再生が終了したか否か判別する（ステップＳ１４４）。
【０２０２】
このステップＳ１４４で、撮影画像ファイルの画像再生が終了してはいないと判別したときには、システム制御部１１０は、ステップＳ１４２に戻り、ディスプレイ１０１の画面１０１Ｄの左半分における動画再生を継続する。そして、このステップＳ１４２以降の処理を繰り返す。
【０２０３】
また、ステップＳ１４４で、撮影画像ファイルの画像再生が終了したと判別したときには、システム制御部１１０は、ＴＶ１０側のＣＡＭ用のプレイリストには、スライドショーの対象ファイルが残っているか否か判別する（ステップＳ１４５）。
【０２０４】
このステップＳ１４５で、ＣＡＭには対象ファイルが残っていないと判別したときには、システム制御部１１０は、この処理ルーチンを終了する。
【０２０５】
また、ステップＳ１４５で、ＣＡＭには対象ファイルが残っていると判別したときには、システム制御部１１０は、ＣＡＭに、ＣＥＣラインを通じてプレイリストの次の撮影画像ファイルの画像データを要求する再生要求コマンドを送信する（ステップＳ１４６）。ここで、このコマンドは、撮影画像ファイルを特定する識別子は不要であり、単に、ＣＡＭに生成されているスライドショー用のプレイリストの次の撮影画像ファイルの画像データを再生要求するコマンドでよい。
【０２０６】
このコマンド送信に対しては、ＣＡＭからは、スライドショー用のプレイリストの次の撮影画像ファイルの画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの左半分に、動画表示させるように制御する（ステップＳ１４７）。
【０２０７】
このステップＳ１４７の次には、ステップＳ１４３に戻り、このステップＳ１４３以降の処理を繰り返す。
【０２０８】
また、ステップＳ１４３で、一定時間経過したと判別したときには、そのときのＣＡＭからの再生画像シーン（フレーム）の時刻を時間Ｘとして取得する（ステップＳ１４８）。
【０２０９】
そして、システム制御部１１０は、時間Ｘと時間Ｙとを比較し、時間Ｙよりも時間Ｘの方が前の時点であるか否か判別する（ステップＳ１４９）。そして、このステップＳ１４９で、時間ＹよりもＸの方が前の時点であると判別したときには、システム制御部１１０は、ステップＳ１４２に戻り、ディスプレイ１０１の画面の右側には、ＤＳＣからの同じ静止画を継続表示すると共に、左側には、ＣＡＭからの同じ撮影画像ファイルの動画を再生し続ける。そして、このステップＳ１４２以降の処理を繰り返す。
【０２１０】
また、ステップＳ１４９で、時間Ｘよりも時間Ｙの方が前の時点であると判別したときには、システム制御部１１０は、ＤＳＣに、ＣＥＣラインを通じて再生停止要求コマンドを送信する（ステップＳ１５０）。よって、これ以降は、ディスプレイ１０１の画面１０１Ｄの右側には、画像は表示されなくなる。
【０２１１】
そして、次に、システム制御部１１０は、ＣＡＭに再生要求した撮影画像ファイルの画像再生が終了するのを待ち（図２４のステップＳ１５１）、撮影画像ファイルの画像再生が終了したと判別したときには、ＴＶ１０側のＣＡＭ用のプレイリストには、スライドショーの対象ファイルが残っているか否か判別する（ステップＳ１５２）。
【０２１２】
このステップＳ１５２で、ＣＡＭには対象ファイルが残っていないと判別したときには、システム制御部１１０は、この処理ルーチンを終了する。
【０２１３】
また、ステップＳ１５２で、ＣＡＭには対象ファイルが残っていると判別したときには、システム制御部１１０は、ＣＡＭに、ＣＥＣラインを通じてプレイリストの次の撮影画像ファイルの画像データを要求する再生要求コマンドを送信する（ステップＳ１５３）。ここで、このコマンドは、撮影画像ファイルを特定する識別子は不要であり、単に、ＣＡＭに生成されているスライドショー用のプレイリストの次の撮影画像ファイルの画像データを再生要求するコマンドでよい。
【０２１４】
このコマンド送信に対しては、ＣＡＭからは、スライドショー用のプレイリストの次の撮影画像ファイルの画像データが高速バスを通じて送られてくるので、システム制御部１１０は、この画像データを、ＨＤＭＩ受信部１０３または１０４を通じて受け取り、切替部１０５、表示信号生成部１０６、表示制御部１０７を通じてディスプレイ１０１の画面１０１Ｄの左半分に、動画表示させるように制御する（ステップＳ１５４）。
【０２１５】
このステップＳ１５４の次には、ステップＳ１５１に戻り、このステップＳ１５１以降の処理を繰り返す。
【０２１６】
［ＣＡＭまたはＤＳＣにおけるスライドショーの際の処理動作］
図２６は、上述したスライドショーにおけるＴＶ１０の処理動作に対応するＣＡＭまたはＤＳＣの処理動作を説明するためのフローチャートの一例を示すものである。このフローチャートの各ステップの処理は、図２に示したシステム制御部２１０が実行するものである。
【０２１７】
システム制御部２１０は、先ず、ＴＶ１０からＣＥＣラインを通じてサムネイル要求コマンドを受信したか否か判別し（ステップＳ１６１）、受信していないと判別したときには、その他の処理に移行する（ステップＳ１６２）。
【０２１８】
そして、ステップＳ１６１で、ＣＥＣラインを通じてサムネイル要求コマンドを受信したと判別したときには、システム制御部２１０は、自装置の一覧リストにある撮影画像ファイルのそれぞれについてのサムネイル画像を、ＨＤＭＩケーブルの高速バスを通じてＴＶ１０に送信する（ステップＳ１６３）。
【０２１９】
次に、システム制御部２１０は、撮影画像ファイルの選択コマンドを受信したか否か判別し（ステップＳ１６４）、選択コマンドを受信したと判別したときには、撮影画像ファイルの選択コマンドで指定された撮影画像ファイルを、プレイリストに追加して、メモリ２０８に記憶する（ステップＳ１６５）。そして、システム制御部２１０は、生成したプレイリストの撮影画像ファイルを、古いものから順に、撮影時刻順にソートしておく（ステップＳ１６６）。
【０２２０】
次に、システム制御部２１０は、ＴＶ１０からプレイリストの先頭の撮影画像ファイルの再生開始コマンド（スライドショーの開始コマンドに相当）を受信したか否か判別し（ステップＳ１６７）、受信していないときには、ステップＳ１６４に戻って、次の撮影画像ファイルの選択コマンドの受信を待つ。また、ステップＳ１６４で、撮影画像ファイルの選択コマンドを受信しないと判別したときには、システム制御部２１０は、ステップＳ１６７にジャンプして、ＴＶ１０からプレイリストの先頭の撮影画像ファイルの再生開始コマンドを監視する。
【０２２１】
なお、ここでは、撮影画像ファイルの逐次の選択コマンドを受信する場合として説明したが、前述したように、一覧リストにある全ての撮影画像ファイルがスライドショーの対象とされることもある。その場合には、一覧リストと同じ内容のプレイリストを生成し、あるいは、一覧リストをプレイリストと兼用するように設定しておくものである。なお、この一覧リストについても撮影時刻順にソートされるのは勿論である。
【０２２２】
そして、ステップＳ１６７で、ＴＶ１０からプレイリストの先頭の撮影画像ファイルの再生開始コマンドを受信したと判別したときには、システム制御部２１０は、プレイリストの先頭の撮影画像ファイルの画像データを記録メディアから読み出してデコードし、デコードした画像データを、ＨＤＭＩケーブルの高速バスを通じてＴＶ１０に送信する（ステップＳ１６８）。
【０２２３】
次に、システム制御部２１０は、ＣＥＣラインを通じてプレイリストの次の撮影画像ファイルの再生開始コマンドを受信したか否か判別し（ステップＳ１６９）、受信したと判別したときには、システム制御部２１０は、プレイリストの次の撮影画像ファイルの画像データを記録メディアから読み出してデコードし、デコードした画像データを、ＨＤＭＩケーブルの高速バスを通じてＴＶ１０に送信する（ステップＳ１７０）。
【０２２４】
そして、システム制御部２１０は、プレイリストの撮影画像ファイルは、全て再生されたか否か判別し（ステップＳ１７１）、未だ再生されていない撮影画像ファイルがあるときには、ステップＳ１６９に戻り、このステップＳ１６９以降の処理を繰り返す。また、ステップＳ１７１で、全ての撮影画像ファイルが再生されたと判別したときには、この処理ルーチンを終了する。
【０２２５】
また、ステップＳ１６９で、ＣＥＣラインを通じてプレイリストの次の撮影画像ファイルの再生開始コマンドを受信していないと判別したときにも、システム制御部２１０は、ステップＳ１７１に進み、プレイリストの撮影画像ファイルは、全て再生されたか否か判別し、未だ再生されていない撮影画像ファイルがあるときには、ステップＳ１６９に戻り、このステップＳ１６９以降の処理を繰り返し、また、ステップＳ１７１で、全ての撮影画像ファイルが再生されたと判別したときには、この処理ルーチンを終了する。
【０２２６】
［撮影時刻順スライドショーの再生画像順の例］
図２７は、ＣＡＭおよびＤＳＣの撮影画像ファイルの一覧リストが、図６および図７に示したような場合であって、各ファイルの画像を、図５のように、ＣＡＭの「Ｍｏｖｉｅ  ｉ」（ｉ＝１，２，３）と、ＤＳＣの「Ｓｔｉｌｌ  ｊ」（ｊ＝１，２，・・・，８）とした場合に、スライドショーの対象ファイルが、全ての撮影画像ファイルとされたときの、ＣＡＭの動画と、ＤＳＣの静止画の再生順を説明するための図である。なお、以下の説明において、時点は、撮影画像ファイルに基づく撮影記録時間に関するものである。
【０２２７】
この例の場合、図２７に示すように、スライドショーが開始されると、ＤＳＣの最初の撮影画像ファイル１の画像「Ｓｔｉｌｌ  １」が、画面１０１Ｄの右半分に表示されると共に、画面の左半分には、ＣＡＭの最初の撮影画像ファイル「Ｍｏｖｉｅ  １」の先頭フレームの静止画が表示される。
【０２２８】
そして、ＤＳＣの最初の撮影画像ファイル１の画像「Ｓｔｉｌｌ  １」の記録時間が最も古い時間「９：５８」であり、一方、ＣＡＭの最初の撮影画像ファイル「Ｍｏｖｉｅ  １」は、「１０：００〜１０：０３」の動画であるので、画面の左半分では、ＣＡＭの最初の撮影画像ファイル「Ｍｏｖｉｅ  １」の先頭フレームの静止画で一時停止状態（ポーズ状態）となって、それが時点「１０：００」まで続く。そして、時点「１０：００」になると、画面の左半分のＣＡＭの最初の撮影画像ファイル１の動画「Ｍｏｖｉｅ  １」の再生が始まる。
【０２２９】
そして、時点「１０：０２」になると、ＤＳＣの２番目の撮影画像ファイル２の画像「Ｓｔｉｌｌ  ２」が、画面の右半分に表示される。左半分では、ＣＡＭの最初の撮影画像ファイル１の動画「Ｍｏｖｉｅ  １」が継続再生表示される。
【０２３０】
時点「１０：０３」で、ＣＡＭの最初の撮影画像ファイル１の動画「Ｍｏｖｉｅ  １」の再生が終了すると、ＣＡＭの２番目の撮影画像ファイル２の動画「Ｍｏｖｉｅ  ２」の撮影記録開始時間Ｘ（「１０：０５」）と、ＤＳＣの２番目の撮影画像ファイル２の画像「Ｓｔｉｌｌ  ２」の撮影記録時間Ｙ（「１０：０２」）とが比較され、Ｘの方が時間的に後であるので、画面の右半分の画像は、ＤＳＣの３番目の撮影画像ファイル３の画像「Ｓｔｉｌｌ  ３」に更新される。そして、ＤＳＣの３番目の撮影画像ファイル３の画像「Ｓｔｉｌｌ  ３」の撮影記録時間「１０：１３」が時間Ｙとされて、再度、ＣＡＭの２番目の撮影画像ファイル２の動画「Ｍｏｖｉｅ  ２」の撮影記録開始時間Ｘ（「１０：０５」）と比較される。
【０２３１】
すると、今度は、時間Ｙの方が時間的に後であるので、画面の左半分において、ＣＡＭの２番目の撮影画像ファイル２の動画「Ｍｏｖｉｅ  ２」の動画再生が開始される。そして、この例では５分経過して時点「１０：０５」になると、時間Ｘ（これは、その時点におけるフレームの撮影記録時刻、つまり、ここでは「１０：０５」）と時間Ｙとが再度比較される（前述のステップＳ１２３〜１２５）。
【０２３２】
この例の場合には、未だ、時間Ｘの方が前であるので、画面の左半分において、ＣＡＭの２番目の撮影画像ファイル２の動画「Ｍｏｖｉｅ  ２」の動画再生が継続され、画面の右半分ではＤＳＣの３番目の撮影画像ファイル３の画像「Ｓｔｉｌｌ  ３」が表示され続ける。
【０２３３】
次に、時点「１０：１７」になって、ＣＡＭの２番目の撮影画像ファイル２の動画「Ｍｏｖｉｅ  ２」の動画再生が終了すると、ＣＡＭの３番目の撮影画像ファイル３の動画「Ｍｏｖｉｅ  ３」の撮影記録開始時間Ｘ（「１０：２０」）と、再生中のＤＳＣの３番目の撮影画像ファイル３の画像「Ｓｔｉｌｌ  ３」の撮影記録時間Ｙ（「１０：１３」）とが比較される。すると、Ｘの方が時間的に後であるので、画面の右半分の画像は、ＤＳＣの４番目の撮影画像ファイル３の画像「Ｓｔｉｌｌ  ４」に更新される。
【０２３４】
そして、ＤＳＣの４番目の撮影画像ファイル４の画像「Ｓｔｉｌｌ  ４」の撮影記録時間「１０：１８」が時間Ｙとされて、再度、ＣＡＭの３番目の撮影画像ファイル３の動画「Ｍｏｖｉｅ  ３」の撮影記録開始時間Ｘ（「１０：２０」）と比較される。
【０２３５】
すると、時間Ｘの方が時間的に後であるので、画面の左半分においては、ＣＡＭの３番目の撮影画像ファイル３の動画「Ｍｏｖｉｅ  ３」の先頭フレームにより一時停止状態の静止画が再生表示される。
【０２３６】
そして、時点「１０：１９」になると、ＤＳＣの５番目の撮影画像ファイル５の画像「Ｓｔｉｌｌ  ５」の撮影記録時間Ｙ（「１０：１９」）よりも、ＣＡＭの３番目の撮影画像ファイル３の動画「Ｍｏｖｉｅ  ３」の撮影記録開始時間Ｘ（「１０：２０」）の方があとであるので、画面の右半分の画像は、ＤＳＣの５番目の撮影画像ファイル５の画像「Ｓｔｉｌｌ  ５」に更新される。
【０２３７】
そして、時点「１０：２０」になると、画面の左半分においては、一時停止されていたＣＡＭの３番目の撮影画像ファイル３の動画「Ｍｏｖｉｅ  ３」の動画再生が開始され、時点「１０：２３」までで動画再生が終了する。
【０２３８】
そして、時点「１０：２２」になると、画面の右半分においては、ＤＳＣの６番目の撮影画像ファイル６の画像「Ｓｔｉｌｌ  ６」の再生状態に更新される。また、時点「１０：２４」になると、画面の右半分においては、ＤＳＣの７番目の撮影画像ファイル７の画像「Ｓｔｉｌｌ  ７」の再生状態に更新される。さらに、時点「１０：２５」になると、画面の右半分においては、ＤＳＣの８番目の撮影画像ファイル８の画像「Ｓｔｉｌｌ  ８」の再生状態に更新される。
【０２３９】
なお、図２７に示すように、この例においては、ＣＡＭの３個の撮影画像ファイルの画像の再生が全て終了した後には、左半分は、例えばブルーバックの状態で何も表示されない。以上で、スライドショーは、終了となる。
【０２４０】
以上説明したようにして、この実施形態では、一括一覧リストに基づいて、２台の撮影画像記録装置で記録された静止画および動画を、撮影記録時間順に、時間軸に沿って順次再生するスライドショーが実現できる。
【０２４１】
［その他の実施形態または変形例］
なお、上述の実施形態は、ＣＡＭの動画と、ＤＳＣの静止画とを、ディスプレイの一画面において表示する場合であるので、ディスプレイの一画面を左右に分割した２画面表示として同時表示を行うようにしたが、例えば複数台のＤＳＣの静止画について、１画面において、撮影記録時間順に時間軸に沿ってスライドショーを行う場合には、複数台のＤＳＣの静止画を、順次に、切替表示するようにしてもよい。
【０２４２】
なお、一括一覧リストを用いた機能として、上述の実施形態では、特定の撮影画像ファイルを再生指示する場合と、時間軸に沿った順序でのスライドショーの場合について説明したが、時間軸に対して逆順のスライドショーを行うこともできるし、ランダムな順序でのスライドショーなども可能である。
【０２４３】
また、上述の実施形態は、送信処理装置は、撮影画像記録装置の場合として説明したが、送信処理装置は、例えば、楽曲ファイルを記録メディアに記録するオーディオ記録ないし再生装置であっても良いし、その他のコンテンツ、例えば記憶している絵画などの画像ファイルを送出する装置であってもよい。そして、特に、送信処理装置がオーディオ記録ないし再生装置の場合には、複数台のオーディオ記録ないし再生装置の記録メディアに存在する複数の楽曲ファイルを対象とした、ランダム再生などの特殊再生を行うことができる。
【０２４４】
また、上述の実施形態は、接続インターフェースがＨＤＭＩインターフェースの場合であったが、高速バスおよび／または低速バスの他に、制御信号の伝送用ラインやバスを備え、高速バスで送ることができるデータは画像データやオーディオデータなど、予め定められたデータしか送れないように、規格上、定められている接続インターフェースであれば、この発明は適用可能である。
【図面の簡単な説明】
【０２４５】
【図１】この発明による受信処理装置の一実施形態のブロック図である。
【図２】この発明による送信処理装置の一実施形態のブロック図である。
【図３】この発明の実施形態で用いる接続インターフェースの例としてのＨＤＭＩインターフェースを説明するための図である。
【図４】この発明の実施形態で用いる接続インターフェースの例としてのＨＤＭＩインターフェースを説明するための図である。
【図５】この発明による信号送受信システムの構成例を示すブロック図である。
【図６】この発明による送信処理装置の実施形態が備える一覧リストの一例を示す図である。
【図７】この発明による送信処理装置の実施形態が備える一覧リストの他の一例を示す図である。
【図８】この発明による受信処理装置の実施形態が生成および保持する一括一覧リストの一例を示す図である。
【図９】この発明による送信処理装置の実施形態における一覧リストの生成処理を説明するためのフローチャートの一部を示す図である。
【図１０】この発明による送信処理装置の実施形態における一覧リストの生成処理を説明するためのフローチャートの一部を示す図である。
【図１１】この発明による送信処理装置の実施形態における一覧リストの生成処理を説明するためのフローチャートの一部を示す図である。
【図１２】この発明による送信処理装置の実施形態における一覧リストの生成処理を説明するためのフローチャートの一部を示す図である。
【図１３】この発明による送信処理装置の実施形態における一覧リストの受信処理装置への送出処理を説明するためのフローチャートを示す図である。
【図１４】この発明による受信処理装置の実施形態における一覧リストの受信処理を説明するためのフローチャートを示す図である。
【図１５】この発明による受信処理装置の実施形態における一括一覧リストを用いた処理動作の例を説明するためのフローチャートの一部を示す図である。
【図１６】この発明による受信処理装置の実施形態における一括一覧リストを用いた処理動作の例を説明するためのフローチャートの一部を示す図である。
【図１７】この発明による受信処理装置の実施形態における一括一覧リストを用いた処理動作の例を説明するためのフローチャートの一部を示す図である。
【図１８】この発明による受信処理装置の実施形態における一括一覧リストの例を説明するための図である。
【図１９】この発明による受信処理装置の実施形態における一括一覧リストを用いた処理動作の例を説明するためのフローチャートの一部を示す図である。
【図２０】この発明による受信処理装置の実施形態における一括一覧リストを用いた処理動作の例を説明するためのフローチャートの一部を示す図である。
【図２１】この発明による受信処理装置の実施形態における一括一覧リストを用いた処理動作の例を説明するためのフローチャートの一部を示す図である。
【図２２】この発明による受信処理装置の実施形態における一括一覧リストを用いた処理動作の例を説明するためのフローチャートの一部を示す図である。
【図２３】この発明による受信処理装置の実施形態における一括一覧リストを用いた処理動作の例を説明するためのフローチャートの一部を示す図である。
【図２４】この発明による受信処理装置の実施形態における一括一覧リストを用いた処理動作の例を説明するためのフローチャートの一部を示す図である。
【図２５】この発明による受信処理装置の実施形態における一括一覧リストを用いた処理動作の例を説明するための表示画面の例を示す図である。
【図２６】この発明による送信処理装置の実施形態における処理動作の例を説明するためのフローチャートを示す図である。
【図２７】この発明による信号送受信システムの実施形態における処理動作の一例を説明するために用いる図である。
【符号の説明】
【０２４６】
１０…受信処理装置、２１，２２…送信処理装置、３１，３２…ＨＤＭＩケーブル、３１Ｈ，３２Ｈ…高速バス、３１Ｌ，３２Ｌ…低速バス、３１Ｃ，３２Ｃ…ＣＥＣライン
【図１】
2008258700.tif 000003
【図２】
2008258700.tif 000004
【図３】
2008258700.tif 000005
【図４】
2008258700.tif 000006
【図５】
2008258700.tif 000007
【図６】
2008258700.tif 000008
【図７】
2008258700.tif 000009
【図８】
2008258700.tif 000010
【図９】
2008258700.tif 000011
【図１０】
2008258700.tif 000012
【図１１】
2008258700.tif 000013
【図１２】
2008258700.tif 000014
【図１３】
2008258700.tif 000015
【図１４】
2008258700.tif 000016
【図１５】
2008258700.tif 000017
【図１６】
2008258700.tif 000018
【図１７】
2008258700.tif 000019
【図１８】
2008258700.tif 000020
【図１９】
2008258700.tif 000021
【図２０】
2008258700.tif 000022
【図２１】
2008258700.tif 000023
【図２２】
2008258700.tif 000024
【図２３】
2008258700.tif 000025
【図２４】
2008258700.tif 000026
【図２５】
2008258700.tif 000027
【図２６】
2008258700.tif 000028
【図２７】
2008258700.tif 000029